(57)【特許請求の範囲】
【請求項１】
二重接続をサポートする移動通信システムにおいて用いられる基地局であって、
ユーザ端末とのＲＲＣ接続を確立しており、前記二重接続においてモビリティ制御を行う制御部を備え、
前記制御部は、
前記ユーザ端末に対する追加的な無線リソースの割り当てを要求する割り当て要求を他の基地局に送信し、
前記割り当て要求の送信後、前記ユーザ端末が前記他の基地局に対するランダムアクセスを行うために使用すべきランダムアクセスチャネルに関する情報を含む応答を前記他の基地局から受信し、
前記二重接続において前記他の基地局に第２のＣＱＩ報告を送信する前記ユーザ端末から第１のＣＱＩ報告を受信する基地局。
【請求項２】
前記基地局が前記二重接続を開始すると判断した場合、前記制御部は、前記割り当て要求を前記他の基地局に送信する請求項１に記載の基地局。
【請求項３】
二重接続をサポートする移動通信システムにおいて用いられる基地局であって、
ユーザ端末とのＲＲＣ接続を確立しており、前記二重接続においてモビリティ制御を行う制御部を備え、
前記制御部は、
前記二重接続において前記ユーザ端末に対して追加的な無線リソースを割り当てる他の基地局に対して、前記追加的な無線リソースの解放を要求する解放要求を送信し、
前記解放要求の送信後に、前記他の基地局が前記ユーザ端末に対して未送信のデータを前記他の基地局から受信する基地局。
【請求項４】
前記基地局が前記二重接続を終了する場合、前記制御部は、前記他の基地局に対して、前記解放要求を送信する請求項３に記載の基地局。
【請求項５】
二重接続をサポートする移動通信システムにおいて用いられる基地局であって、
ユーザ端末とのＲＲＣ接続を確立しており、前記二重接続においてモビリティ制御を行う制御部を備え、
前記制御部は、
前記二重接続において前記ユーザ端末に対して追加的な無線リソースを割り当てる他の基地局から、前記追加的な無線リソースの解放を示す通知を受信し、
前記通知に対する確認応答を前記他の基地局に送信したことに応じて、前記他の基地局が前記ユーザ端末に対して未送信のデータを前記他の基地局から受信する基地局。
【請求項６】
前記他の基地局が前記二重接続を終了する場合、前記制御部は、前記通知を前記他の基地局から受信する請求項５に記載の基地局。
【請求項７】
二重接続をサポートする移動通信システムにおいて用いられる基地局であって、
ユーザ端末とのＲＲＣ接続を確立しており、前記二重接続においてモビリティ制御を行う制御部を備え、
前記制御部は、
前記二重接続において前記ユーザ端末に対して追加的な無線リソースを割り当てる他の基地局から、前記追加的な無線リソースの割り当てを維持できないことを示す通知を前記他の基地局から受信し、
前記通知の受信後に、前記他の基地局が前記ユーザ端末に対して未送信のデータを前記他の基地局から受信する基地局。
【請求項８】
前記他の基地局が前記追加的な無線リソースの割り当てを終了せざるを得ないと判断した場合、前記制御部は、前記通知を前記他の基地局から受信する請求項７に記載の基地局。
【請求項９】
二重接続をサポートする移動通信システムにおいて用いられる基地局であって、
前記二重接続においてユーザ端末に対して追加的な無線リソースを割り当てる制御部を備え、
前記制御部は、
前記ユーザ端末とのＲＲＣ接続を確立しており、前記二重接続においてモビリティ制御を行う他の基地局から、前記追加的な無線リソースの割り当てを要求する割り当て要求を受信し、
前記割り当て要求の受信に応じて、前記ユーザ端末が前記基地局に対するランダムアクセスを行うために使用すべきランダムアクセスチャネルに関する情報を含む応答を前記他の基地局に送信し、
前記二重接続において前記他の基地局に第１のＣＱＩ報告を送信する前記ユーザ端末から第２のＣＱＩ報告を受信する基地局。
【請求項１０】
前記他の基地局が前記二重接続を開始すると判断した場合、前記制御部は、前記割り当て要求を前記他の基地局から受信する請求項９に記載の基地局。
【請求項１１】
二重接続をサポートする移動通信システムにおいて用いられる基地局であって、
前記二重接続においてユーザ端末に対して追加的な無線リソースを割り当てる制御部を備え、
前記制御部は、
前記ユーザ端末とのＲＲＣ接続を確立しており、前記二重接続においてモビリティ制御を行う他の基地局から、前記追加的な無線リソースの解放を要求する解放要求を受信し、
前記解放要求の受信後に、前記基地局が前記ユーザ端末に対して未送信のデータを前記他の基地局に送信する基地局。
【請求項１２】
前記他の基地局が前記二重接続を終了する場合、前記制御部は、前記解放要求を前記他の基地局から受信する請求項１１に記載の基地局。
【請求項１３】
二重接続をサポートする移動通信システムにおいて用いられる基地局であって、
前記二重接続においてユーザ端末に対して追加的な無線リソースを割り当てる制御部を備え、
前記制御部は、
前記ユーザ端末とのＲＲＣ接続を確立しており、前記二重接続においてモビリティ制御を行う他の基地局に対して、前記追加的な無線リソースの解放を示す通知を送信し、
前記通知に対する確認応答を前記他の基地局から受信したことに応じて、前記基地局が前記ユーザ端末に対して未送信のデータを前記他の基地局に送信する基地局。
【請求項１４】
前記基地局が前記二重接続を終了する場合、前記制御部は、前記通知を送信する請求項１３に記載の基地局。
【請求項１５】
二重接続をサポートする移動通信システムにおいて用いられる基地局であって、
前記二重接続においてユーザ端末に対して追加的な無線リソースを割り当てる制御部を備え、
前記制御部は、
前記ユーザ端末とのＲＲＣ接続を確立しており、前記二重接続においてモビリティ制御を行う他の基地局に対して、前記追加的な無線リソースの割り当てを維持できないことを示す通知を送信し、
前記通知の送信後に、前記基地局が前記ユーザ端末に対して未送信のデータを前記他の基地局に送信する基地局。
【請求項１６】
前記基地局が前記追加的な無線リソースの割り当てを終了せざるを得ないと判断した場合、前記制御部は、前記他の基地局に対して、前記通知を送信する請求項１５に記載の基地局。
【請求項１７】
二重接続をサポートする移動通信システムにおいて用いられるユーザ端末であって、
前記ユーザ端末とのＲＲＣ接続を確立し、前記二重接続においてモビリティ制御を行う基地局との通信を行う制御部を備え、
前記制御部は、前記二重接続の開始時において、前記二重接続の開始を示す指示を前記基地局から受信し、
前記指示は、前記ユーザ端末が他の基地局に対するランダムアクセスを行うために使用すべきランダムアクセスチャネルに関する情報を含み、
前記制御部は、前記二重接続において、第１のＣＱＩ報告を前記基地局に送信し、かつ、第２のＣＱＩ報告を前記他の基地局に送信するユーザ端末。
【請求項１８】
二重接続をサポートする移動通信システムにおいて用いられるユーザ端末を制御するプロセッサであって、
前記ユーザ端末とのＲＲＣ接続を確立し、前記二重接続においてモビリティ制御を行う基地局との通信を行い、
前記二重接続の開始時において、前記二重接続の開始を示す指示を前記基地局から受信し、
前記指示は、前記ユーザ端末が他の基地局に対するランダムアクセスを行うために使用すべきランダムアクセスチャネルに関する情報を含み、
前記二重接続において、第１のＣＱＩ報告を前記基地局に送信し、かつ、第２のＣＱＩ報告を前記他の基地局に送信するプロセッサ。
【請求項１９】
二重接続をサポートする移動通信システムにおいて用いられるユーザ端末であって、
前記ユーザ端末とのＲＲＣ接続を確立し、前記二重接続においてモビリティ制御を行う基地局との通信を行う制御部を備え、
前記制御部は、前記二重接続において前記ユーザ端末に追加的な無線リソースを割り当てるべき他の基地局に関する設定情報を前記基地局から受信し、
前記設定情報は、前記ユーザ端末が前記他の基地局に対するランダムアクセスを行うために使用すべきランダムアクセスチャネルに関する情報を含み、
前記制御部は、前記二重接続において、第１のＣＱＩ報告を前記基地局に送信し、かつ、第２のＣＱＩ報告を前記他の基地局に送信するユーザ端末。
【請求項２０】
二重接続をサポートする移動通信システムにおいて用いられるユーザ端末を制御するプロセッサであって、
前記ユーザ端末とのＲＲＣ接続を確立し、前記二重接続においてモビリティ制御を行う基地局との通信を行い、
前記二重接続において前記ユーザ端末に追加的な無線リソースを割り当てるべき他の基地局に関する設定情報を前記基地局から受信し、
前記設定情報は、前記ユーザ端末が前記他の基地局に対するランダムアクセスを行うために使用すべきランダムアクセスチャネルに関する情報を含み、
前記二重接続において、第１のＣＱＩ報告を前記基地局に送信し、かつ、第２のＣＱＩ報告を前記他の基地局に送信するプロセッサ。
【発明の詳細な説明】
【技術分野】
【０００１】
本発明は、二重接続をサポートする移動通信システムに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、二重接続（Ｄｕａｌ  ｃｏｎｎｅｃｔｉｖｉｔｙ）の導入が検討されている（非特許文献１参照）。【０００３】
二重接続は、異なる基地局により管理されるセルの組み合わせである一対のセルとユーザ端末が一対の接続を確立する方式である。
【先行技術文献】
【非特許文献】
【０００４】
【非特許文献１】３ＧＰＰ寄書  ＲＰ−１２２０３３
【発明の概要】
【０００５】
しかしながら、現状では、二重接続を適切に制御するための仕組みが存在しないという問題がある。
【０００６】
そこで、本発明は、二重接続を適切に制御できる移動通信システムを提供する。
第１の特徴に係る基地局は、二重接続をサポートする移動通信システムにおいて用いられる基地局であって、ユーザ端末とのＲＲＣ接続を確立しており、前記二重接続においてモビリティ制御を行う制御部を備える。
第１の特徴において、前記基地局が前記二重接続を開始すると判断した場合、前記制御部は、前記ユーザ端末に対する追加的な無線リソースの割り当てを要求する割り当て要求を他の基地局に送信する。
第１の特徴において、前記制御部は、前記割り当て要求の送信後、前記ユーザ端末が前記他の基地局に対するランダムアクセスを行うために使用すべきランダムアクセスチャネルに関する情報を含む応答を前記他の基地局から受信する。
第１の特徴において、前記基地局が前記二重接続を終了する場合、前記制御部は、前記二重接続において前記ユーザ端末に対して追加的な無線リソースを割り当てる他の基地局に対して、前記追加的な無線リソースの解放を要求する解放要求を送信する。
第１の特徴において、前記制御部は、前記解放要求の送信後に、前記他の基地局が前記ユーザ端末に対して未送信のデータを前記他の基地局から受信する。
第１の特徴において、前記二重接続において前記ユーザ端末に対して追加的な無線リソースを割り当てる他の基地局が前記二重接続を終了する場合、前記制御部は、前記追加的な無線リソースの解放を示す通知を前記他の基地局から受信する。
第１の特徴において、前記制御部は、前記追加的な無線リソースの解放を許可したことに応じて、前記他の基地局が前記ユーザ端末に対して未送信のデータを前記他の基地局から受信する。
第１の特徴において、前記二重接続において前記ユーザ端末に対して追加的な無線リソースを割り当てる他の基地局が前記追加的な無線リソースの割り当てを終了せざるを得ないと判断した場合、前記制御部は、前記追加的な無線リソースの割り当てを維持できないことを示す通知を前記他の基地局から受信する。
第１の特徴において、前記制御部は、前記通知の受信後に、前記他の基地局が前記ユーザ端末に対して未送信のデータを前記他の基地局から受信する。
第１の特徴において、前記制御部は、前記二重接続において前記ユーザ端末に対して追加的な無線リソースを割り当てる他の基地局に第２のＣＱＩ報告を送信するユーザ端末から、第１のＣＱＩ報告を受信する。
第１の特徴において、前記制御部は、前記ユーザ端末の前記二重接続の能力を示す能力情報を受信し、前記能力情報に基づいて前記二重接続を前記ユーザ端末に適用するか否かを判断する。
第１の特徴において、前記制御部は、前記二重接続の開始時又は前記二重接続の実行中において、前記基地局と他の基地局との間における前記ユーザ端末のトラフィックの分割態様を決定し、決定した分割態様を前記ユーザ端末に通知する。
第１の特徴において、前記制御部は、前記二重接続の開始時において、前記二重接続の開始を前記ユーザ端末に指示するとともに、前記決定した分割態様を前記ユーザ端末に通知する。
第２の特徴に係る基地局は、二重接続をサポートする移動通信システムにおいて用いられる基地局であって、前記二重接続においてユーザ端末に対して追加的な無線リソースを割り当てる制御部を備える。
第２の特徴において、前記ユーザ端末とのＲＲＣ接続を確立しており、前記二重接続においてモビリティ制御を行う他の基地局が前記二重接続を開始すると判断した場合、前記制御部は、前記追加的な無線リソースの割り当てを要求する割り当て要求を前記他の基地局から受信する。
第２の特徴において、前記制御部は、前記割り当て要求の受信に応じて、前記ユーザ端末が前記基地局に対するランダムアクセスを行うために使用すべきランダムアクセスチャネルに関する情報を含む応答を前記他の基地局に送信する。
第２の特徴において、前記ユーザ端末とのＲＲＣ接続を確立しており、前記二重接続においてモビリティ制御を行う他の基地局が前記二重接続を終了する場合、前記制御部は、前記追加的な無線リソースの解放を要求する解放要求を前記他の基地局から受信する。
第２の特徴において、前記制御部は、前記解放要求の受信後に、前記基地局が前記ユーザ端末に対して未送信のデータを前記他の基地局に送信する。
第２の特徴において、前記基地局が前記二重接続を終了する場合、前記制御部は、前記ユーザ端末とのＲＲＣ接続を確立しており、前記二重接続においてモビリティ制御を行う他の基地局に対して、前記追加的な無線リソースの解放を示す通知を送信する。
第２の特徴において、前記制御部は、前記追加的な無線リソースの解放が前記他の基地局により許可されたことに応じて、前記基地局が前記ユーザ端末に対して未送信のデータを前記他の基地局に送信する。
第２の特徴において、前記基地局が前記追加的な無線リソースの割り当てを終了せざるを得ないと判断した場合、前記制御部は、前記ユーザ端末とのＲＲＣ接続を確立しており、前記二重接続においてモビリティ制御を行う他の基地局に対して、前記追加的な無線リソースの割り当てを維持できないことを示す通知を送信する。
第２の特徴において、前記制御部は、前記通知の送信後に、前記基地局が前記ユーザ端末に対して未送信のデータを前記他の基地局に送信する。
第２の特徴において、前記制御部は、前記ユーザ端末とのＲＲＣ接続を確立しており、前記二重接続においてモビリティ制御を行う他の基地局に第１のＣＱＩ報告を送信するユーザ端末から、第２のＣＱＩ報告を受信する。
第３の特徴に係るユーザ端末は、二重接続をサポートする移動通信システムにおいて用いられるユーザ端末であって、前記ユーザ端末とのＲＲＣ接続を確立し、前記二重接続においてモビリティ制御を行う基地局との通信を行う制御部を備える。
第３の特徴において、前記制御部は、前記基地局に第１のＣＱＩ報告を送信し、前記二重接続において前記ユーザ端末に対して追加的な無線リソースを割り当てる他の基地局に第２のＣＱＩ報告を送信する。
第３の特徴において、前記制御部は、前記ユーザ端末の前記二重接続の能力を示す能力情報を前記基地局に送信する。
第３の特徴において、前記制御部は、前記二重接続の開始時又は前記二重接続の実行中において、前記基地局と他の基地局との間における前記ユーザ端末のトラフィックの分割態様を示す通知を前記基地局から受信する。
第３の特徴において、前記制御部は、前記二重接続の開始時において、前記二重接続の開始を示す指示を前記基地局から受信する。
第３の特徴において、前記指示は、前記ユーザ端末が他の基地局に対するランダムアクセスを行うために使用すべきランダムアクセスチャネルに関する情報を含む。
第４の特徴に係るプロセッサは、二重接続をサポートする移動通信システムにおいて用いられるユーザ端末を制御するプロセッサであって、前記ユーザ端末とのＲＲＣ接続を確立し、前記二重接続においてモビリティ制御を行う基地局との通信を行う。
【図面の簡単な説明】
【０００７】
【図１】第１実施形態及び第２実施形態に係るＬＴＥシステムの構成図である。
【図２】第１実施形態及び第２実施形態に係るＵＥのブロック図である。
【図３】第１実施形態及び第２実施形態に係るｅＮＢのブロック図である。
【図４】ＬＴＥシステムにおける無線インターフェイスのプロトコルスタック図である。
【図５】ＬＴＥシステムで使用される無線フレームの構成図である。
【図６】第１実施形態及び第２実施形態に係る動作環境を示す図である。
【図７】第１実施形態に係る動作パターン１−１のシーケンス図である。
【図８】第１実施形態に係る動作パターン１−２のシーケンス図である。
【図９】第１実施形態に係る動作パターン１−２の変更例のシーケンス図である。
【図１０】第１実施形態に係る動作パターン２−１のシーケンス図である。
【図１１】第１実施形態に係る動作パターン２−２のシーケンス図である。
【図１２】第１実施形態に係る動作パターン２−２の変更例のシーケンス図である。
【図１３】第２実施形態の変更例１に係る動作環境を示す図である。
【図１４】第２実施形態の変更例１に係る動作シーケンスを示すシーケンス図である。
【図１５】第２実施形態の変更例２に係る動作シーケンスを示すシーケンス図である。
【図１６】第２実施形態の変更例３に係る動作シーケンスを示すシーケンス図である。
【図１７】第２実施形態の変更例４に係る動作シーケンスを示すシーケンス図である。
【図１８】その他の実施形態に係る動作環境を示す図である。
【図１９】実施形態の付記３に係る図である。
【発明を実施するための形態】
【０００８】
［実施形態の概要］
実施形態に係る移動通信システムは、二重接続をサポートする。前記移動通信システムは、ユーザ端末とのＲＲＣ接続を確立しており、前記二重接続においてモビリティ制御を行う第１の基地局と、前記第１の基地局と隣接する第２の基地局と、を備える。前記第１の基地局が前記二重接続を開始すると判断した場合、前記第１の基地局は、前記ユーザ端末に対する追加的な無線リソースの割り当てを要求する割り当て要求を前記第２の基地局に送信する。
【０００９】
実施形態では、前記第２の基地局は、前記確立要求の受信に応じて、前記ユーザ端末が前記第２の基地局に対するランダムアクセスを行うために使用すべきランダムアクセスチャネルに関する情報を含む応答を、前記第１の基地局に送信する。
【００１０】
実施形態では、前記第１の基地局は、前記応答の受信に応じて、前記ユーザ端末のコンテキスト情報及び前記第１の基地局における設定パラメータを前記第２の基地局に送信する。
【００１１】
実施形態に係る移動通信システムは、二重接続をサポートする。前記移動通信システムは、ユーザ端末とのＲＲＣ接続を確立しており、前記二重接続においてモビリティ制御を行う第１の基地局と、前記第１の基地局と隣接しており、前記二重接続において前記ユーザ端末に対して追加的な無線リソースを割り当てる第２の基地局と、を備える。前記第１の基地局が前記二重接続を終了すると判断した場合、前記第１の基地局は、前記追加的な無線リソースの解放を要求する解放要求を前記第２の基地局に送信する。
【００１２】
実施形態では、前記第２の基地局は、前記解放要求の受信に応じて、前記追加的な無線リソースの解放を通知する解放通知を前記第１の基地局に送信する。前記第２の基地局は、前記解放通知の送信後に、前記第２の基地局が前記ユーザ端末に対して未送信のデータを前記第１の基地局に送信する。
【００１３】
実施形態に係る移動通信システムは、二重接続をサポートする。前記移動通信システムは、ユーザ端末とのＲＲＣ接続を確立し、前記二重接続においてモビリティ制御を行う第１の基地局と、前記第１の基地局と隣接し、前記二重接続において前記ユーザ端末に対して追加的な無線リソースを割り当てる第２の基地局と、を備える。前記第２の基地局が前記二重接続を終了すると判断した場合、前記第２の基地局は、前記追加的な無線リソースの解放の可否について前記第１の基地局に問い合わせる。
【００１４】
実施形態では、前記第２の基地局は、前記追加的な無線リソースの解放が前記第１の基地局により許可されたことに応じて、前記追加的な無線リソースの解放通知を前記第１の基地局に送信する。前記第２の基地局は、前記解放通知の送信後に、前記第２の基地局が前記ユーザ端末に対して未送信のデータを前記第１の基地局に送信する。
【００１５】
実施形態に係る移動通信システムは、二重接続をサポートする。前記移動通信システムは、ユーザ端末とのＲＲＣ接続を確立し、前記二重接続においてモビリティ制御を行う第１の基地局と、前記第１の基地局と隣接し、前記二重接続において前記ユーザ端末に対して追加的な無線リソースを割り当てる第２の基地局と、を備える。前記第２の基地局が前記追加的な無線リソースの割り当てを終了せざるを得ないと判断した場合、前記第２の基地局は、前記追加的な無線リソースを解放した上で、前記追加的な無線リソースの割り当てを維持できないことを示す通知を前記第１の基地局に送信する。
【００１６】
実施形態では、前記第２の基地局は、前記通知の送信後に、前記第２の基地局が前記ユーザ端末に対して未送信のデータを前記第１の基地局に送信する。
【００１７】
実施形態に係る移動通信システムは、二重接続をサポートする。前記移動通信システムは、ユーザ端末とのＲＲＣ接続を確立し、前記二重接続においてモビリティ制御を行う第１の基地局と、前記第１の基地局と隣接し、前記二重接続において前記ユーザ端末に対して追加的な無線リソースを割り当てる第２の基地局と、を備える。前記第２の基地局が前記ユーザ端末からの測定報告に基づいて前記追加的な無線リソースの割り当てを終了すると判断した場合、前記第２の基地局は、前記追加的な無線リソースの割り当ての解放を示す解放通知を前記第１の基地局に送信する。
【００１８】
実施形態に係る移動通信システムは、二重接続をサポートする。前記移動通信システムは、ユーザ端末とのＲＲＣ接続を確立し、前記二重接続においてモビリティ制御を行う第１の基地局と、前記第１の基地局と隣接し、前記二重接続において前記ユーザ端末に対して追加的な無線リソースを割り当てる第２の基地局と、を備える。前記ユーザ端末は、前記二重接続において、第１のＣＱＩ報告を前記第１の基地局に送信し、かつ、第２のＣＱＩ報告を前記第２の基地局に送信する。
【００１９】
実施形態に係る移動通信システムは、二重接続をサポートする。前記移動通信システムは、前記二重接続においてモビリティ制御を行う第１の基地局と、前記第１の基地局と隣接する第２の基地局と、を備える。前記第２の基地局は、前記二重接続をサポートするユーザ端末が前記第２の基地局のセルにキャンプすることを禁止するためのブロードキャスト情報を送信する。アイドル状態にある前記ユーザ端末は、前記ブロードキャスト情報に基づいて、前記第２の基地局のセルにキャンプすることなく、前記第１の基地局のセルにキャンプする。
【００２０】
実施形態では、前記ブロードキャスト情報は、特定のアクセスクラスを示す情報である。前記ユーザ端末は、前記ユーザ端末のアクセスクラスが前記特定のアクセスクラスである場合に、前記第２の基地局のセルへのキャンプが禁止されていると判断する。
【００２１】
実施形態では、前記ブロードキャスト情報は、前記二重接続をサポートする特定のリリースに準拠したユーザ端末に対するアクセス規制を示す情報である。前記ユーザ端末は、前記ユーザ端末が準拠するリリースが前記特定のリリースである場合で、かつ前記ユーザ端末が前記二重接続をサポートする場合に、前記第２の基地局のセルへのキャンプが禁止されていると判断する。
【００２２】
実施形態に係る移動通信システムは、二重接続をサポートする。前記移動通信システムは、前記二重接続においてモビリティ制御を行う第１の基地局と、前記第１の基地局と隣接する第２の基地局と、を備える。アイドル状態で前記第２の基地局のセルにキャンプするユーザ端末は、前記二重接続を適用すべき通信を開始する場合に、前記第１の基地局のセルを再選択した上で、前記第１の基地局との接続を確立する。
【００２３】
実施形態に係る移動通信システムは、セルを管理する基地局と、異なる周波数に属する複数のセルとの二重接続をサポートするユーザ端末と、を備える。前記ユーザ端末は、自身が前記二重接続で使用可能な周波数帯を示す能力情報を前記基地局に送信する。前記基地局は、前記能力情報に基づいて、前記二重接続を前記ユーザ端末に適用するか否かを判断する。
【００２４】
実施形態に係る移動通信システムは、二重接続をサポートする。前記移動通信システムは、ユーザ端末とのＲＲＣ接続を確立し、前記二重接続においてモビリティ制御を行う第１の基地局と、前記第１の基地局と隣接し、前記二重接続において前記ユーザ端末に対して追加的な無線リソースを割り当てる第２の基地局と、を備える。前記第１の基地局は、前記二重接続の開始時又は前記二重接続の実行中において、前記ユーザ端末のトラフィックの分割態様を決定する。
【００２５】
実施形態に係る移動通信システムは、二重接続をサポートする。前記移動通信システムは、ユーザ端末とのＲＲＣ接続を確立し、前記二重接続においてモビリティ制御を行う第１の基地局と、前記第１の基地局と隣接し、前記二重接続において前記ユーザ端末に対して追加的な無線リソースを割り当てる第２の基地局と、を備える。前記第１の基地局は、前記二重接続の開始時において、前記二重接続の開始を前記ユーザ端末に指示する。
【００２６】
実施形態に係るユーザ端末は、異なる基地局により管理される複数のセルとの接続を同時に確立する二重接続方式をサポートする。前記ユーザ端末は、アイドル状態において自ユーザ端末のサービングセルを選択するセル再選択を行う制御部を備える。前記複数のセルは、第１セルと、前記第１セルのカバレッジよりも狭いカバレッジを有する第２セルと、を含む。前記制御部は、前記第２セルを前記サービングセルとして選択せずに前記第１セルを前記サービングセルとして選択するためのセル再選択制御を行う。
【００２７】
実施形態では、前記セル再選択制御に使用される制御情報を前記第１セル又は前記第２セルから受信する受信部を備える。前記第１セルは第１周波数に属し、かつ、前記第２セルは第２周波数に属している。前記制御情報は、前記セル再選択における前記第２周波数の優先度を前記第１周波数の優先度に比べて相対的に低下させるための情報である。前記制御部は、前記制御情報に基づいて、前記セル再選択制御を行う。
【００２８】
実施形態では、前記制御部は、前記第１セルと前記ＲＲＣ接続を確立している際に、自ユーザ端末が前記二重接続方式をサポートしていることを示す能力情報を前記第１セルに通知する。前記受信部は、前記第１セルから自ユーザ端末にユニキャストで送信される前記制御情報を受信する。
【００２９】
実施形態では、前記ユーザ端末は、前記セル再選択制御に使用されるブロードキャスト情報を前記第２セルから受信する受信部を備える。前記ブロードキャスト情報は、前記二重接続方式をサポートするユーザ端末に対するアクセス規制を示す情報である。前記制御部は、前記ブロードキャスト情報に基づいて、前記セル再選択制御を行う。
【００３０】
実施形態では、前記制御部は、前記第１セルと前記ＲＲＣ接続を確立した後、前記第２セルとの接続を確立するよう前記第１セルから制御された場合には、前記アクセス規制にかかわらず前記第２セルとの接続を確立するための処理を行う。
【００３１】
実施形態では、前記制御部は、前記複数のセルを包含するネットワークから、前記第２セルの識別子を含むリストを取得する。前記制御部は、前記リストに基づいて、前記セル再選択制御を行う。
【００３２】
実施形態では、前記セル再選択制御は、前記第２セルを前記サービングセルとして選択することを禁止する制御である。
【００３３】
実施形態では、前記セル再選択制御は、前記セル再選択における前記第２セルの優先度を前記第１セルの優先度に比べて相対的に低下させる制御である。
【００３４】
実施形態では、前記ユーザ端末は、前記セル再選択制御に使用されるブロードキャスト情報を前記第２セルから受信する受信部を備える。前記ブロードキャスト情報は、該ブロードキャスト情報の送信元セルのセル種別を示す情報である。前記制御部は、前記ブロードキャスト情報に基づいて、前記セル再選択制御を行う。
【００３５】
実施形態では、前記セル再選択制御は、前記第２セルを前記サービングセルとして選択することを禁止する制御である。
【００３６】
実施形態では、前記セル再選択制御は、前記セル再選択における前記第２セルの優先度を前記第１セルの優先度に比べて相対的に低下させる制御である。
【００３７】
実施形態に係る通信制御方法は、異なる基地局により管理される複数のセルとの接続を同時に確立する二重接続方式をサポートするユーザ端末が、アイドル状態において自ユーザ端末のサービングセルを選択するセル再選択を行うステップを備える。前記複数のセルは、第１セルと、前記第１セルのカバレッジよりも狭いカバレッジを有する第２セルと、を含む。前記セル再選択を行うステップは、前記第２セルを前記サービングセルとして選択せずに前記第１セルを前記サービングセルとして選択するためのセル再選択制御を行うステップを含む。
【００３８】
実施形態に係るプロセッサは、異なる基地局により管理される複数のセルとの接続を同時に確立する二重接続方式をサポートするユーザ端末に備えられる。前記プロセッサは、アイドル状態において自ユーザ端末のサービングセルを選択するセル再選択を行うステップを実行する。前記複数のセルは、第１セルと、前記第１セルのカバレッジよりも狭いカバレッジを有する第２セルと、を含む。前記セル再選択を行うステップは、前記第２セルを前記サービングセルとして選択せずに前記第１セルを前記サービングセルとして選択するためのセル再選択制御を行うステップを含む。
【００３９】
［第１実施形態］
以下、図面を参照して、３ＧＰＰで標準化されているＬＴＥ（Ｌｏｎｇ  Ｔｅｒｍ  Ｅｖｏｌｕｔｉｏｎ）に本発明を適用する場合の実施形態を説明する。
【００４０】
（ＬＴＥシステムの構成）
図１は、第１実施形態に係るＬＴＥシステムの構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。Ｅ−ＵＴＲＡＮ１０及びＥＰＣ２０は、ＬＴＥシステムのネットワークを構成する。
【００４１】
ＵＥ１００は、移動型の通信装置であり、接続先のセル（サービングセル）との無線通信を行う。ＵＥ１００はユーザ端末に相当する。
【００４２】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。
【００４３】
ｅＮＢ２００は、例えば、無線リソース管理（ＲＲＭ）機能と、ユーザデータのルーティング機能と、モビリティ制御及びスケジューリングのための測定制御機能と、を有する。
【００４４】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００４５】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００４６】
次に、ＵＥ１００及びｅＮＢ２００の構成を説明する。
【００４７】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４８】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００４９】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００５０】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００５１】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００５２】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００５３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００５４】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５５】
図４は、ＬＴＥシステムにおける無線インターフェイスのプロトコルスタック図である。図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５６】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５７】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、及び割当リソースブロックを決定するスケジューラを含む。
【００５８】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５９】
ＰＤＣＰレイヤは、ヘッダ圧縮・伸張、及び暗号化・復号化を行う。
【００６０】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００６１】
ＲＲＣレイヤの上位に位置するＮＡＳ（Ｎｏｎ−Ａｃｃｅｓｓ  Ｓｔｒａｔｕｍ）レイヤは、セッション管理及びモビリティ管理などを行う。
【００６２】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６３】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００６４】
下りリンクにおいて、各サブフレームの先頭数シンボルの区間は、主に制御信号を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できる領域である。
【００６５】
上りリンクにおいて、各サブフレームにおける周波数方向の両端部は、主に制御信号を伝送するための物理上りリンク制御チャネル（ＰＵＣＣＨ）として使用される制御領域である。また、各サブフレームにおける周波数方向の中央部は、主にユーザデータを伝送するための物理上りリンク共有チャネル（ＰＵＳＣＨ）として使用できる領域である。
【００６６】
（二重接続）
第１実施形態に係るＬＴＥシステムは、二重接続（Ｄｕａｌ  ｃｏｎｎｅｃｔｉｖｉｔｙ）をサポートする。二重接続は、異なるｅＮＢ２００により管理されるセルの組み合わせである一対のセルとＵＥ１００が一対の接続を確立する方式である。
【００６７】
二重接続において、一方のｅＮＢ２００は、ＵＥ１００のモビリティ制御（Ｍｏｂｉｌｉｔｙ  ｍａｎａｇｅｍｅｎｔ）を行う。すなわち、一方のｅＮＢ２００は、ＵＥ１００とのＲＲＣ接続を確立し、ＵＥ１００のハンドオーバ制御などを行う。他方のｅＮＢ２００は、ＵＥ１００のモビリティ制御を行わない。他方のｅＮＢ２００は、必ずしもＵＥ１００とのＲＲＣ接続を確立しない。他方のｅＮＢ２００は、ＭＡＣレイヤまでの接続又はＲＬＣレイヤまでの接続（Ｌ２  ｃｏｎｎｅｃｔｉｏｎ）をＵＥ１００と確立すればよい。
【００６８】
二重接続において、ＵＥ１００は、一対のセルのそれぞれから無線リソースの割当を受ける。すなわち、一対のセルを管理する各ｅＮＢ２００は、ＵＥ１００のために無線リソースのスケジューリングを行う。
【００６９】
（第１実施形態に係る動作）
以下において、第１実施形態に係る動作について説明する。図６は、第１実施形態に係る動作環境を示す図である。
【００７０】
図６に示すように、ｅＮＢ２００−１は大セルを管理する。大セルは、ＬＴＥシステムにおける一般的なセルであり、マクロセルと称される。ｅＮＢ２００−１は第１の基地局に相当し、大セルは第１のセルに相当する。ｅＮＢ２００−１は、二重接続においてＵＥ１００のモビリティ制御を行う。
【００７１】
ｅＮＢ２００−１と隣接するｅＮＢ２００−２は、小セルを管理する。小セルは、大セルよりもカバレッジの狭いセルであり、ピコセル又はフェムトセルと称される。ｅＮＢ２００−２は、ホーム基地局（ＨｅＮＢ）であってもよい。ｅＮＢ２００−２は第２の基地局に相当し、小セルは第２のセルに相当する。ｅＮＢ２００−２は、二重接続においてＵＥ１００のモビリティ制御を行わない。
【００７２】
小セルは、大セルのカバレッジエリアに設けられている。また、小セルは、大セルが属する周波数とは異なる周波数に属する。
【００７３】
ＵＥ１００は、異なる周波数に属する一対のセルとの二重接続（Ｉｎｔｅｒ−ｆｒｅｑｕｅｎｃｙ  ｄｕａｌ  ｃｏｎｎｅｃｔｉｖｉｔｙ）をサポートする。よって、ＵＥ１００は、ｅＮＢ２００−１との第１の接続を確立し、かつｅＮＢ２００−２との第２の接続を確立して、二重接続（Ｉｎｔｅｒ−ｆｒｅｑｕｅｎｃｙ  ｄｕａｌ  ｃｏｎｎｅｃｔｉｖｉｔｙ）を行うことができる。以下において、「二重接続」とは、Ｉｎｔｅｒ−ｆｒｅｑｕｅｎｃｙ  ｄｕａｌ  ｃｏｎｎｅｃｔｉｖｉｔｙを指すものとする。
【００７４】
次に、第１実施形態に係る動作パターン１及び２を説明する。動作パターン１は、ＵＥ１００が先ずｅＮＢ２００−１との第１の接続を確立する動作パターンである。これに対し、動作パターン２は、ＵＥ１００が先ずｅＮＢ２００−２との第２の接続を確立する動作パターンである。
【００７５】
（ａ）動作パターン１−１
図７は、第１実施形態に係る動作パターン１−１のシーケンス図である。動作パターン１−１では、ｅＮＢ２００−２は、ＵＥ１００のＲＲＭ（Ｒａｄｉｏ  Ｒｅｓｏｕｒｃｅ  Ｍａｎａｇｅｍｅｎｔ）を行わない。
【００７６】
図７に示すように、ステップＳ１０１において、ＵＥ１００は、ｅＮＢ２００−１との第１の接続（ＲＲＣ  ｃｏｎｎｅｃｔｉｏｎ）を確立する。これにより、ＵＥ１００は、アイドル状態（ＲＲＣ  ｉｄｌｅ  ｓｔａｔｅ）から接続状態（ＲＲＣ  ｃｏｎｎｅｃｔｅｄ  ｓｔａｔｅ）に遷移する。
【００７７】
ステップＳ１０２において、ｅＮＢ２００−１は、ＵＥ１００のＲＲＭを行う。具体的には、ＵＥ１００のモビリティ制御のための測定を制御する。
【００７８】
ステップＳ１０３において、ＵＥ１００は、ｅＮＢ２００−１の制御下で、測定報告をｅＮＢ２００−１に送信する。測定報告は、ＵＥ１００のサービングセル（大セル）及び隣接セル（小セル）のそれぞれの測定結果を含む。測定結果とは、参照信号の受信電力などである。
【００７９】
ステップＳ１０４において、ｅＮＢ２００−１は、ＵＥ１００からの測定報告に基づいて、二重接続を開始するか否かを判断する。例えば、ｅＮＢ２００−１は、自セル及び隣接セル（小セル）のそれぞれの測定結果が閾値を超えていれば、二重接続を開始すると判断する。ここでは、二重接続を開始すると判断したと仮定して説明を進める。
【００８０】
ステップＳ１０５において、ｅＮＢ２００−１は、ＵＥ１００との第２の接続の確立を要求する確立要求（Ｄｕａｌ  ｃｏｎｎｅｃｔｉｖｉｔｙ  ｒｅｑｕｅｓｔ）をｅＮＢ２００−２に送信する。当該確立要求は、追加的な無線リソースの割り当て要求に相当する。
【００８１】
ステップＳ１０６において、ｅＮＢ２００−２は、確立要求（Ｄｕａｌ  ｃｏｎｎｅｃｔｉｖｉｔｙ  ｒｅｑｕｅｓｔ）の受信に応じて、確立要求に対する肯定応答（ＡＣＫ）をｅＮＢ２００−１に送信する。肯定応答は、第２の接続を確立する際に使用すべきランダムアクセスチャネルに関する情報（ＲＡＣＨ  ｉｎｆｏｒｍａｔｉｏｎ）を含む。
【００８２】
ステップＳ１０７において、ｅＮＢ２００−１は、肯定応答（ＡＣＫ）の受信に応じて、ＵＥ１００のコンテキスト情報（ＵＥ  ｃｏｎｔｅｘｔ）及びｅＮＢ２００−１における設定パラメータ（ＡＳ  ｃｏｎｆｉｇｕｒａｔｉｏｎ）をｅＮＢ２００−２に送信する。
【００８３】
ステップＳ１０８において、ｅＮＢ２００−１は、ＵＥ１００がｅＮＢ２００−２との第２の接続を確立するための設定情報（ＲＲＣ  ｒｅｃｏｎｆｉｇｕｒａｔｉｏｎ）をＵＥ１００に送信する。ここで、ｅＮＢ２００−１は、ｅＮＢ２００−２からのＲＡＣＨ  ｉｎｆｏｒｍａｔｉｏｎを設定情報（ＲＲＣ  ｒｅｃｏｎｆｉｇｕｒａｔｉｏｎ）に含めて送信する。
【００８４】
ステップＳ１０９において、ＵＥ１００は、ｅＮＢ２００−１からの設定情報（ＲＲＣ  ｒｅｃｏｎｆｉｇｕｒａｔｉｏｎ）に基づいて、ｅＮＢ２００−２に対するランダムアクセス（ＲＡＣＨ）処理を行う。
【００８５】
ステップＳ１１０において、ＵＥ１００及びｅＮＢ２００−２は、第２の接続（例えばＬ２  ｃｏｎｎｅｃｔｉｏｎ）を確立する。これにより、二重接続が開始される。二重接続においては、ＵＥ１００は、ｅＮＢ２００−１及び２００−２のそれぞれと通信を行うことができるため、高いスループットを実現できる。
【００８６】
ステップＳ１１１において、ＵＥ１００は、ｅＮＢ２００−１の制御下で、測定報告をｅＮＢ２００−１に送信する。測定報告は、ＵＥ１００のサービングセル（大セル）及び隣接セル（小セル）のそれぞれの測定結果を含む。
【００８７】
ステップＳ１１２において、ｅＮＢ２００−１は、ＵＥ１００からの測定報告に基づいて、二重接続を終了するか否かを判断する。例えば、ｅＮＢ２００−１は、隣接セル（小セル）の測定結果が閾値を下回っていれば、二重接続を終了すると判断する。ここでは、二重接続を終了すると判断したと仮定して説明を進める。
【００８８】
ステップＳ１１３において、ｅＮＢ２００−１は、ＵＥ１００との第２の接続の解放の決定を通知する解放決定通知（Ｄｕａｌ  ｃｏｎｎｅｃｔｉｖｉｔｙ  ｒｅｌｅａｓｅ）をｅＮＢ２００−２に送信する。当該解放決定通知は、追加的な無線リソースの解放要求に相当する。
【００８９】
ステップＳ１１４において、ｅＮＢ２００−２は、解放決定通知（Ｄｕａｌ  ｃｏｎｎｅｃｔｉｖｉｔｙ  ｒｅｌｅａｓｅ）の受信に応じて、第２の接続の解放通知（Ｒｅｌｅａｓｅ  Ｃｏｍｐｌｅｔｅ）をｅＮＢ２００−１に送信する。ここで、ｅＮＢ２００−２は、解放通知と共に（又は解放通知の後に）、ｅＮＢ２００−２がＵＥ１００に対して未送信のデータをｅＮＢ２００−１に送信（ｔｒａｎｓｆｅｒ）する。この未送信データは、ｅＮＢ２００−１がＵＥ１００に送信することになる。
【００９０】
ステップＳ１１５において、ｅＮＢ２００−１は、解放通知（Ｒｅｌｅａｓｅ  Ｃｏｍｐｌｅｔｅ）の受信に応じて、ＵＥ１００がｅＮＢ２００−２との第２の接続を解放するための設定情報（ＲＲＣ  ｒｅｃｏｎｆｉｇｕｒａｔｉｏｎ）をＵＥ１００に送信する。
【００９１】
（ｂ）動作パターン１−２
図８は、第１実施形態に係る動作パターン１−２のシーケンス図である。動作パターン１−２では、ｅＮＢ２００−２は、ＵＥ１００のＲＲＭを行う。
【００９２】
図８に示すように、ステップＳ２０１乃至Ｓ２０７は、動作パターン１−１のステップＳ１０１乃至Ｓ１０７と同様である。
【００９３】
ステップＳ２０８において、ｅＮＢ２００−１は、ＵＥ１００がｅＮＢ２００−２との第２の接続を確立するための指示情報（ＲＡＣＨ  ｉｎｉｔｉａｔｉｏｎ）をＵＥ１００に送信する。ここで、ｅＮＢ２００−１は、ｅＮＢ２００−２からのＲＡＣＨ  ｉｎｆｏｒｍａｔｉｏｎを指示情報（ＲＡＣＨ  ｉｎｉｔｉａｔｉｏｎ）に含めて送信する。
【００９４】
ステップＳ２０９において、ＵＥ１００は、ｅＮＢ２００−１からの指示情報（ＲＡＣＨ  ｉｎｉｔｉａｔｉｏｎ）に基づいて、ｅＮＢ２００−２に対するランダムアクセス（ＲＡＣＨ）処理を行う。
【００９５】
ステップＳ２１０において、ＵＥ１００及びｅＮＢ２００−２は、第２の接続（ＲＲＣ  ｃｏｎｎｅｃｔｉｏｎ）を確立する。これにより、二重接続が開始される。二重接続においては、ＵＥ１００は、ｅＮＢ２００−１及び２００−２のそれぞれと通信を行うことができるため、高いスループットを実現できる。
【００９６】
ステップＳ２１１において、ｅＮＢ２００−２は、ＵＥ１００のＲＲＭを行う。具体的には、第２の接続（ＲＲＣ  ｃｏｎｎｅｃｔｉｏｎ）を維持すべきか否か、すなわち、二重接続を終了すべきか否かを判断するための測定を制御する。
【００９７】
ステップＳ２１２において、ＵＥ１００は、ｅＮＢ２００−２の制御下で、測定報告（第２の測定報告）をｅＮＢ２００−２に送信する。第２の測定報告は、ｅＮＢ２００−２のセル（小セル）の測定結果を含む。
【００９８】
その後、ステップＳ２１３において、ＵＥ１００は、ｅＮＢ２００−１の制御下で、測定報告（第１の測定報告）をｅＮＢ２００−１に送信する。第１の測定報告は、ＵＥ１００のサービングセル（大セル）及び隣接セル（小セル）のそれぞれの測定結果を含む。すなわち、第１の測定報告は、ｅＮＢ２００−１においてＵＥ１００のモビリティ制御に利用される。
【００９９】
ステップＳ２１４において、ＵＥ１００は、ｅＮＢ２００−２の制御下で、測定報告（第２の測定報告）をｅＮＢ２００−２に送信する。第２の測定報告は、ｅＮＢ２００−２のセル（小セル）の測定結果を含む。すなわち、第２の測定報告は、ｅＮＢ２００−２において二重接続を終了するか否かの判断に利用される。
【０１００】
ステップＳ２１５において、ｅＮＢ２００−２は、ＵＥ１００からの第２の測定報告に基づいて、二重接続を終了するか否かを判断する。例えば、ｅＮＢ２００−２は、自セル（小セル）の測定結果が閾値を下回っていれば、二重接続を終了すると判断する。ここでは、二重接続を終了すると判断したと仮定して説明を進める。
【０１０１】
ステップＳ２１６において、ｅＮＢ２００−２は、ＵＥ１００との第２の接続の解放の可否についてｅＮＢ２００−１に問い合わせる。
【０１０２】
ステップＳ２１７において、ｅＮＢ２００−１は、ｅＮＢ２００−２からの問い合わせ（Ｄｕａｌ  ｃｏｎｎｅｃｔｉｖｉｔｙ  ｒｅｌｅａｓｅ）の受信に応じて、肯定応答（Ｒｅｌｅａｓｅ  ＡＣＫ）をｅＮＢ２００−２に送信する。
【０１０３】
ステップＳ２１８において、ｅＮＢ２００−２は、ｅＮＢ２００−１からの肯定応答（Ｒｅｌｅａｓｅ  ＡＣＫ）の受信に応じて、ＵＥ１００との第２の接続を解放する。
【０１０４】
ステップＳ２１９において、ｅＮＢ２００−２は、第２の接続の解放通知（Ｒｅｌｅａｓｅ  Ｃｏｍｐｌｅｔｅ）をｅＮＢ２００−１に送信する。ここで、ｅＮＢ２００−２は、解放通知と共に（又は解放通知の後に）、ｅＮＢ２００−２がＵＥ１００に対して未送信のデータをｅＮＢ２００−１に送信（ｔｒａｎｓｆｅｒ）する。この未送信データは、ｅＮＢ２００−１がＵＥ１００に送信することになる。
【０１０５】
ステップＳ２２０において、ｅＮＢ２００−１は、ＵＥ１００との第１の接続を維持する。
【０１０６】
尚、ステップＳ２１８以降の処理は、以下のように変更可能である。
【０１０７】
図９は、第１実施形態に係る動作パターン１−２の変更例のシーケンス図である。
【０１０８】
図９に示すように、ｅＮＢ２００−１は、ｅＮＢ２００−２への肯定応答（Ｒｅｌｅａｓｅ  ＡＣＫ）を送信した後、第２の接続の解放要求（ＲＲＣ  ｒｅｃｏｎｆｉｇｕｒａｔｉｏｎ）をＵＥ１００に送信する（ステップＳ３１８）。そして、ＵＥ１００は、ｅＮＢ２００−１からの解放要求（ＲＲＣ  ｒｅｃｏｎｆｉｇｕｒａｔｉｏｎ）の受信に応じて、第２の接続を解放する（ステップＳ３２０）。その他の動作は動作パターン１−２と同様である。
【０１０９】
或いは、ｅＮＢ２００−２は、ｅＮＢ２００−１に対して問い合わせ（Ｄｕａｌ  ｃｏｎｎｅｃｔｉｏｎ  ｒｅｌｅａｓｅ）を行うことなく、第２の接続を解放してもよい。具体的には、ｅＮＢ２００−２は、ＵＥ１００からの測定報告（第２の測定報告）に基づいて二重接続を終了すると判断した場合に、第２の接続を解放した上で、第２の接続の解放通知（Ｒｅｌｅａｓｅ  Ｃｏｍｐｌｅｔｅ）をｅＮＢ２００−１に送信する。その際、ｅＮＢ２００−２は、解放通知と共に（又は解放通知の後に）、ｅＮＢ２００−２がＵＥ１００に対して未送信のデータをｅＮＢ２００−１に送信する。
【０１１０】
或いは、ｅＮＢ２００−２は、ＵＥ１００からの測定報告（第２の測定報告）に基づいて二重接続を終了すると判断した場合に、第２の接続を解放することなく、第２の接続の解放決定通知（Ｄｕａｌ  ｃｏｎｎｅｃｔｉｖｉｔｙ  ｒｅｌｅａｓｅ）をｅＮＢ２００−１に送信する。ｅＮＢ２００−１は、ｅＮＢ２００−２からの解放決定通知の受信に応じて、第２の接続の解放要求（ＲＲＣ  ｒｅｃｏｎｆｉｇｕｒａｔｉｏｎ）をＵＥ１００に送信する。ＵＥ１００は、ｅＮＢ２００−１からの解放要求の受信に応じて、第２の接続を解放する。
【０１１１】
（ｃ）動作パターン２−１
図１０は、第１実施形態に係る動作パターン２−１のシーケンス図である。
【０１１２】
図１０に示すように、ステップＳ４０１において、ＵＥ１００は、ｅＮＢ２００−２との第２の接続（ＲＲＣ  ｃｏｎｎｅｃｔｉｏｎ）を確立する。これにより、ＵＥ１００は、アイドル状態（ＲＲＣ  ｉｄｌｅ  ｓｔａｔｅ）から接続状態（ＲＲＣ  ｃｏｎｎｅｃｔｅｄ  ｓｔａｔｅ）に遷移する。
【０１１３】
ステップＳ４０２において、ｅＮＢ２００−２は、ＵＥ１００のＲＲＭを行う。具体的には、ＵＥ１００のモビリティ制御のための測定を制御する。
【０１１４】
ステップＳ４０３において、ＵＥ１００は、ｅＮＢ２００−２の制御下で、測定報告をｅＮＢ２００−２に送信する。測定報告は、ＵＥ１００のサービングセル（小セル）及び隣接セル（大セル）のそれぞれの測定結果を含む。
【０１１５】
ステップＳ４０４において、ｅＮＢ２００−２は、ＵＥ１００からの測定報告に基づいて、その測定報告をｅＮＢ２００−１に転送することを決定する。ｅＮＢ２００−２は、二重接続を開始可能な条件、例えば自セル及び隣接セル（大セル）のそれぞれの測定結果が閾値を超えているという条件が満たされている場合に、測定報告をｅＮＢ２００−１に転送することを決定してもよい。
【０１１６】
ステップＳ４０５において、ｅＮＢ２００−２は、ＵＥ１００からの測定報告をｅＮＢ２００−１に転送する。
【０１１７】
ステップＳ４０６において、ｅＮＢ２００−１は、ｅＮＢ２００−２から転送された測定報告に基づいて、二重接続を開始するか否かを判断する。例えば、ｅＮＢ２００−１は、自セル（大セル）及び隣接セル（小セル）のそれぞれの測定結果が閾値を超えていれば、二重接続を開始すると判断する。ここでは、二重接続を開始すると判断したと仮定して説明を進める。
【０１１８】
ステップＳ４０７において、ｅＮＢ２００−１は、二重接続の開始通知（Ｄｕａｌ  ｃｏｎｎｅｃｔｉｖｉｔｙ  ａｖａｉｌａｂｌｅ）をｅＮＢ２００−２に送信する。この開始通知（Ｄｕａｌ  ｃｏｎｎｅｃｔｉｖｉｔｙ  ａｖａｉｌａｂｌｅ）により、ｅＮＢ２００−１へのＵＥ１００のハンドオーバ手続がトリガされる。
【０１１９】
ステップＳ４０８において、ｅＮＢ２００−２は、開始通知（Ｄｕａｌ  ｃｏｎｎｅｃｔｉｖｉｔｙ  ａｖａｉｌａｂｌｅ）の受信に応じて、ｅＮＢ２００−１へのＵＥ１００のハンドオーバ手続を開始する。ｅＮＢ２００−２は、ｅＮＢ２００−１へのＵＥ１００のハンドオーバを行うための設定情報（ＲＲＣ  ｒｅｃｏｎｆｉｇｕｒａｔｉｏｎ）をＵＥ１００に送信する。
【０１２０】
ステップＳ４０９において、ＵＥ１００は、ｅＮＢ２００−２からの設定情報（ＲＲＣ  ｒｅｃｏｎｆｉｇｕｒａｔｉｏｎ）に基づいて、ｅＮＢ２００−１に対するランダムアクセス（ＲＡＣＨ）処理を行う。
【０１２１】
ステップＳ４１０において、ｅＮＢ２００−２は、ＵＥ１００のコンテキスト情報（ＵＥ  ｃｏｎｔｅｘｔ）及びＵＥ１００への未送信データをｅＮＢ２００−１に送信する。
【０１２２】
ステップＳ４１１において、ＵＥ１００及びｅＮＢ２００−２は、接続（ＲＲＣ  ｃｏｎｎｅｃｔｉｏｎ）を解放する。
【０１２３】
ステップＳ４１２において、ＵＥ１００及びｅＮＢ２００−１は、接続（ＲＲＣ  ｃｏｎｎｅｃｔｉｏｎ）を確立する。
【０１２４】
ステップＳ４１３において、ｅＮＢ２００−１は、ＵＥ１００のＲＲＭを行う。そして、二重接続を開始するための手続を開始する。ステップＳ４１４において、ｅＮＢ２００−１は、ＵＥ１００との第２の接続の確立を要求する確立要求（Ｄｕａｌ  ｃｏｎｎｅｃｔｉｖｉｔｙ  ｒｅｑｕｅｓｔ）をｅＮＢ２００−２に送信する。その後の動作は、動作パターン１−１と同様である。
【０１２５】
（ｄ）動作パターン２−２
図１１は、第１実施形態に係る動作パターン２−２のシーケンス図である。
【０１２６】
動作パターン２−１では、ｅＮＢ２００−２からｅＮＢ２００−１へのＵＥ１００のハンドオーバを行った後、ｅＮＢ２００−１主導で二重接続を開始していた。これに対し、動作パターン２−２では、ｅＮＢ２００−２がＵＥ１００との接続を維持しつつ、ｅＮＢ２００−１主導で二重接続を開始する。
【０１２７】
図１１に示すように、ステップＳ５０１乃至Ｓ５０７の処理は動作パターン２−１と同様である。ステップＳ５０７においてｅＮＢ２００−１は、ｅＮＢ２００−１との接続を確立する際に使用すべきランダムアクセスチャネルに関する情報（ＲＡＣＨ  ｉｎｆｏｒｍａｔｉｏｎ）を開始通知（Ｄｕａｌ  ｃｏｎｎｅｃｔｉｖｉｔｙ  ａｖａｉｌａｂｌｅ）と共にｅＮＢ２００−２に送信する。
【０１２８】
ステップＳ５０８において、ｅＮＢ２００−２は、ＵＥ１００がｅＮＢ２００−１との接続を確立するための指示情報（ＲＡＣＨ  ｉｎｉｔｉａｔｉｏｎ）をＵＥ１００に送信する。ここで、ｅＮＢ２００−２は、ｅＮＢ２００−１からのＲＡＣＨ  ｉｎｆｏｒｍａｔｉｏｎを指示情報（ＲＡＣＨ  ｉｎｉｔｉａｔｉｏｎ）に含めて送信する。
【０１２９】
ステップＳ５０９において、ＵＥ１００は、ｅＮＢ２００−２からの指示情報（ＲＡＣＨ  ｉｎｉｔｉａｔｉｏｎ）に基づいて、ｅＮＢ２００−１に対するランダムアクセス（ＲＡＣＨ）処理を行う。
【０１３０】
ステップＳ５１０において、ｅＮＢ２００−２は、ＵＥ１００のコンテキスト情報（ＵＥ  ｃｏｎｔｅｘｔ）をｅＮＢ２００−１に送信する。
【０１３１】
ステップＳ５１１において、ＵＥ１００は、ｅＮＢ２００−１との接続（ＲＲＣ  ｃｏｎｎｅｃｔｉｏｎ）を確立する。これにより、二重接続が開始される。
【０１３２】
ステップＳ５１２において、ｅＮＢ２００−１は、ＵＥ１００のＲＲＭを行う。具体的には、ＵＥ１００のモビリティ制御のための測定を制御する。
【０１３３】
ステップＳ５１３において、ＵＥ１００は、ｅＮＢ２００−１の制御下で、測定報告をｅＮＢ２００−１に送信する。測定報告は、ＵＥ１００のサービングセル（大セル）及び隣接セル（小セル）のそれぞれの測定結果を含む。
【０１３４】
その後、ステップＳ５１４において、ＵＥ１００は、ｅＮＢ２００−１の制御下で、測定報告（第１の測定報告）をｅＮＢ２００−１に送信する。第１の測定報告は、ＵＥ１００のサービングセル（大セル）及び隣接セル（小セル）のそれぞれの測定結果を含む。すなわち、第１の測定報告は、ｅＮＢ２００−１においてＵＥ１００のモビリティ制御に利用される。
【０１３５】
ステップＳ５１５において、ＵＥ１００は、ｅＮＢ２００−２の制御下で、測定報告（第２の測定報告）をｅＮＢ２００−２に送信する。第２の測定報告は、ｅＮＢ２００−２のセル（小セル）の測定結果を含む。すなわち、第２の測定報告は、ｅＮＢ２００−２において二重接続を終了するか否かの判断に利用される。
【０１３６】
ステップＳ５１６において、ｅＮＢ２００−２は、ＵＥ１００からの第２の測定報告に基づいて、二重接続を終了するか否かを判断する。以降の処理は、動作パターン１−２と同様である。
【０１３７】
図１２は、第１実施形態に係る動作パターン２−２の変更例のシーケンス図である。
【０１３８】
図１２に示すように、ｅＮＢ２００−１は、ｅＮＢ２００−２への肯定応答（Ｒｅｌｅａｓｅ  ＡＣＫ）を送信した後、第２の接続の解放要求（ＲＲＣ  ｒｅｃｏｎｆｉｇｕｒａｔｉｏｎ）をＵＥ１００に送信する（ステップＳ６１９）。そして、ＵＥ１００は、ｅＮＢ２００−１からの解放要求（ＲＲＣ  ｒｅｃｏｎｆｉｇｕｒａｔｉｏｎ）の受信に応じて、第２の接続を解放する（ステップＳ６２１）。その他の動作は動作パターン２−２と同様である。
【０１３９】
或いは、ｅＮＢ２００−２は、ｅＮＢ２００−１に対して問い合わせ（Ｄｕａｌ  ｃｏｎｎｅｃｔｉｏｎ  ｒｅｌｅａｓｅ）を行うことなく、第２の接続を解放してもよい。具体的には、ｅＮＢ２００−２は、ＵＥ１００からの測定報告（第２の測定報告）に基づいて二重接続を終了すると判断した場合に、第２の接続を解放した上で、第２の接続の解放通知（Ｒｅｌｅａｓｅ  Ｃｏｍｐｌｅｔｅ）をｅＮＢ２００−１に送信する。その際、ｅＮＢ２００−２は、解放通知と共に、ｅＮＢ２００−２がＵＥ１００に対して未送信のデータをｅＮＢ２００−１に送信する。
【０１４０】
或いは、ｅＮＢ２００−２は、ＵＥ１００からの測定報告（第２の測定報告）に基づいて二重接続を終了すると判断した場合に、第２の接続を解放することなく、第２の接続の解放決定通知（Ｄｕａｌ  ｃｏｎｎｅｃｔｉｖｉｔｙ  ｒｅｌｅａｓｅ）をｅＮＢ２００−１に送信する。ｅＮＢ２００−１は、ｅＮＢ２００−２からの解放決定通知の受信に応じて、第２の接続の解放要求（ＲＲＣ  ｒｅｃｏｎｆｉｇｕｒａｔｉｏｎ）をＵＥ１００に送信する。ＵＥ１００は、ｅＮＢ２００−１からの解放要求の受信に応じて、第２の接続を解放する。
【０１４１】
［第１実施形態の変更例１］
上述した第１実施形態では、二重接続中のＵＥ１００は、測定報告をｅＮＢ２００−１及びｅＮＢ２００−２のそれぞれに送信していた。二重接続中のＵＥ１００は、測定報告だけでなく、フィードバック情報をｅＮＢ２００−１及びｅＮＢ２００−２のそれぞれに送信することが好ましい。
【０１４２】
フィードバック情報とは、ＡＣＫ／ＮＡＣＫ、ＣＳＩ（Ｃｈａｎｎｅｌ  Ｓｔａｔｅ  ｉｎｆｏｒｍａｔｉｏｎ）などである。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｅｒ  Ｍａｔｒｉｘ  Ｉｎｄｉｃａｔｏｒ）、ＲＩ（Ｒａｎｋ  Ｉｎｄｉｃａｔｏｒ）などを含む。
【０１４３】
ｅＮＢ２００−１及びｅＮＢ２００−２のうち一方のｅＮＢにのみフィードバック情報を送信すると、その一方のｅＮＢから他方のｅＮＢにフィードバック情報を転送する際に遅延が生じてしまう。よって、フィードバック情報をＵＥ１００がｅＮＢ２００−１及びｅＮＢ２００−２のそれぞれに送信することにより、そのような問題を解決できる。
【０１４４】
［第１実施形態の変更例２］
上述した第１実施形態では、ｅＮＢ２００−２は、確立要求に対する肯定応答（ＡＣＫ）をｅＮＢ２００−１に送信する際に、ランダムアクセスチャネルに関する情報（ＲＡＣＨ  ｉｎｆｏｒｍａｔｉｏｎ）を肯定応答（ＡＣＫ）に含めていた。
【０１４５】
しかしながら、ｅＮＢ２００−２は、肯定応答（ＡＣＫ）と、ランダムアクセスチャネルに関する情報（ＲＡＣＨ  ｉｎｆｏｒｍａｔｉｏｎ）と、を別々にｅＮＢ２００−１に送信してもよい。
【０１４６】
［第２実施形態］
第２実施形態について、第１実施形態との相違点を主として説明する。
【０１４７】
第１実施形態では、接続状態にあるＵＥ１００の動作について説明したが、第２実施形態は、アイドル状態にあるＵＥ１００の動作について説明する。尚、第２実施形態の動作環境については、第１実施形態と同様である（図６参照）。
【０１４８】
二重接続をサポートするＵＥ１００がアイドル状態において小セルにキャンプしている場合、ＵＥ１００が先ず小セルと接続してしまうため、二重接続の制御が複雑化する。「小セルにキャンプ」とは、アイドル状態において小セルをサービングセルとして選択することを意味する。そこで、第２実施形態では、二重接続をサポートするＵＥ１００が大セルにキャンプするための制御を行う。
【０１４９】
（ａ）動作パターン１
第２実施形態に係る動作パターン１では、小セルを管理するｅＮＢ２００−２は、二重接続をサポートするＵＥ１００がｅＮＢ２００−２のセル（小セル）にキャンプすることを禁止するためのブロードキャスト情報を送信する。ブロードキャスト情報は、アイドル状態にあるＵＥ１００が受信可能な情報である。
【０１５０】
アイドル状態にあるＵＥ１００は、ｅＮＢ２００−２からのブロードキャスト情報に基づいて、ｅＮＢ２００−２のセル（小セル）にキャンプすることなく、ｅＮＢ２００−１のセル（大セル）にキャンプする。
【０１５１】
ブロードキャスト情報としては、以下の１）又は２）の何れかを使用する。
【０１５２】
１）ブロードキャスト情報は、アクセス規制の対象とする特定のアクセスクラス（ＡＣ）を示す情報である。
【０１５３】
ブロードキャスト情報の一種であるシステム情報ブロックのタイプ２（ＳＩＢ２）は、送信元セルへのアクセスが規制されるアクセスクラスを示す情報を含む。一方、ＵＥ１００のＳＩＭ（Ｓｕｂｓｃｒｉｂｅｒ  Ｉｄｅｎｔｉｔｙ  Ｍｏｄｕｌｅ）は、そのＵＥ１００のアクセスクラスを示す情報を含む。
【０１５４】
そこで、二重接続をサポートするＵＥ１００には、特定のアクセスクラス（例えばＡＣ１５）を割り当てる。また、小セルは、特定のアクセスクラス（例えばＡＣ１５）をアクセス規制の対象とすることを示すブロードキャスト情報を送信する。
【０１５５】
これにより、二重接続をサポートするＵＥ１００は、小セルがアクセス規制の対象である、すなわち、小セルへのキャンプが禁止されていると判断する。
【０１５６】
２）或いは、ブロードキャスト情報は、二重接続をサポートする特定のリリースに準拠したＵＥ１００に対するアクセス規制を示す情報である。
【０１５７】
ブロードキャスト情報の一種であるシステム情報ブロックのタイプ１（ＳＩＢ１）は、送信元セルがアクセス規制中であるか否かを示す情報（ｃｅｌｌＢａｒｒｅｄ）を含む。一方、二重接続は、３ＧＰＰの特定のリリース（例えばリリース１２）での導入が予定されており、ＵＥ１００は自身が準拠するリリースを認識している。
【０１５８】
そこで、小セルは、特定のリリース（例えばリリース１２）のＵＥ１００に対して適用される情報であって、かつ、アクセス規制中であることを示すブロードキャスト情報（ｃｅｌｌＢａｒｒｅｄ−ｒ１２）を送信する。
【０１５９】
これにより、二重接続をサポートするＵＥ１００は、小セルがアクセス規制中である、すなわち、小セルへのキャンプが禁止されていると判断する。
【０１６０】
（ｂ）動作パターン２
第２実施形態に係る動作パターン２では、アクセス規制のためのブロードキャスト情報を利用するのではなく、ＵＥ１００のセル再選択優先度を利用して、二重接続をサポートするＵＥ１００が大セルにキャンプするよう制御する。
【０１６１】
第１の周波数に属する大セルを管理するｅＮＢ２００−１は、小セルが属する第２の周波数のセル再選択優先度を下げるための情報（Ｃｅｌｌ  Ｒｅｓｅｌｅｃｔｉｏｎ  Ｐｒｉｏｒｉｔｙ）をＵＥ１００に送信する。ｅＮＢ２００−１は、接続解放メッセージ（ＲＲＣ  Ｃｏｎｎｅｃｔｉｏｎ  Ｒｅｌｅａｓｅ  ｍｅｓｓａｇｅ）にＣｅｌｌ  Ｒｅｓｅｌｅｃｔｉｏｎ  Ｐｒｉｏｒｉｔｙを含めてＵＥ１００に送信する。
【０１６２】
尚、ｅＮＢ２００−１は、ＵＥ１００との接続中にそのＵＥ１００が二重接続をサポートしていることを認識し、そのＵＥ１００に対してＣｅｌｌ  Ｒｅｓｅｌｅｃｔｉｏｎ  Ｐｒｉｏｒｉｔｙを調整できる。例えば、ｅＮＢ２００−１は、小セルが属する第２の周波数に対応するＣｅｌｌ  Ｒｅｓｅｌｅｃｔｉｏｎ  Ｐｒｉｏｒｉｔｙを最低優先度に設定する。
【０１６３】
二重接続をサポートするＵＥ１００は、アイドル状態において、ｅＮＢ２００−１からのＣｅｌｌ  Ｒｅｓｅｌｅｃｔｉｏｎ  Ｐｒｉｏｒｉｔｙに基づいて、第２の周波数のセル再選択優先度を下げる。これにより、ＵＥ１００は、小セルよりも大セルに優先的にキャンプする。
【０１６４】
（ｃ）動作パターン３
第２実施形態に係る動作パターン３では、二重接続をサポートするＵＥ１００が自律的に大セルに接続するよう制御する。
【０１６５】
アイドル状態でｅＮＢ２００−２のセル（小セル）にキャンプするＵＥ１００は、二重接続を適用すべき通信を開始する場合に、ｅＮＢ２００−１のセル（大セル）を再選択した上で、ｅＮＢ２００−１との接続を確立する。ここで「二重接続を適用すべき通信」とは、高スループットが要求されるトラフィック（サービス）を取り扱う通信などを意味する。
【０１６６】
例えば、アイドル状態でｅＮＢ２００−２のセル（小セル）にキャンプするＵＥ１００は、二重接続を適用すべき通信を開始する場合に、セル再選択優先度を自律的に調整することにより、ｅＮＢ２００−１のセル（大セル）を再選択する。これにより、大セルにキャンプし、大セルと接続することができる。
【０１６７】
［その他の実施形態］
上述した各実施形態では、ＵＥ１００の能力（Ｃａｐａｂｉｌｉｔｙ）について特に触れなかったが、二重接続においては異なる周波数をＵＥ１００が同時に使用するため、ＵＥ１００の無線通信能力に応じて、二重接続において使用可能な周波数帯は制限されると考えられる。そこで、二重接続をサポートするＵＥ１００は、自身が二重接続で使用可能な周波数帯を示す能力情報（ＵＥ  Ｃａｐａｂｉｌｉｔｙ）をｅＮＢ２００に送信することが好ましい。ｅＮＢ２００は、その能力情報（ＵＥ  Ｃａｐａｂｉｌｉｔｙ）に基づいて、二重接続をＵＥ１００に適用するか否かを判断する。ｅＮＢ２００は、自セルの周波数が、能力情報（ＵＥ  Ｃａｐａｂｉｌｉｔｙ）が示す周波数帯と合致しない場合には、二重接続をＵＥ１００に適用しないと判断してもよい。
【０１６８】
尚、上述した実施形態では、本発明をＬＴＥシステムに適用するケースを主として説明したが、ＬＴＥシステムに限定されるものではなく、ＬＴＥシステム以外のシステムに本発明を適用してもよい。
【０１６９】
［第２実施形態の変更例１］
上述したように、二重接続方式は、ユーザ端末が、異なる基地局により管理される複数のセルとの接続を同時に確立する方式である。なお、二重接続方式は、基地局間キャリアアグリゲーション（ｉｎｔｅｒ−ｅＮＢ  ＣＡ）と称されることがある。
【０１７０】
二重接続方式では、ユーザ端末との接続を確立する複数のセルのうち、１つのセル（以下、「第１セル」という）のみが当該ユーザ端末とのＲＲＣ接続を確立する。すなわち、当該複数のセルのうち他のセル（以下、「第２セル」という）は、ＲＲＣ層よりも下位層の接続をユーザ端末と確立し、ＲＲＣ接続を当該ユーザ端末と確立しない。
【０１７１】
二重接続方式では、第１セルがマクロセルであり、第２セルがマクロセルよりも小型のセル（小セル）であるシナリオが主として想定されている。ここで、小セルは、マクロセルのカバレッジの少なくとも一部と重複するカバレッジを有する。
【０１７２】
よって、ユーザ端末が小セルとのＲＲＣ接続を確立した後に、二重接続方式を開始する場合には、ＲＲＣ接続を小セルからマクロセルへ切り替える手順が必要になると考えられる。従って、二重接続方式を開始するための処理が煩雑になるという問題がある。
【０１７３】
以下においては、二重接続方式を容易に開始可能とするための実施形態を説明する。
【０１７４】
（セル再選択）
ＲＲＣアイドル状態（アイドル状態）のＵＥ１００は、移動に伴ってセル再選択を行う。セル再選択は、ＲＲＣアイドル状態において自ＵＥ１００のサービングセルを選択する動作である。ＲＲＣアイドル状態において、サービングセルは、待ち受けセル又はキャンプ先セルと称されることがある。
【０１７５】
セル再選択におけるセル評価方法については３ＧＰＰ技術仕様書「ＴＳ３６．３０４」に記載されているが、ここではその概要を説明する。セル再選択では、受信電力が最も高いセルを選択する基本コンセプト（ｂｅｓｔ  ｃｅｌｌ  ｐｒｉｎｃｉｐｌｅ）が採用されている。また、セルサーチ時に優先度が高い周波数を常に測定対象とすること、及び優先度が高いほどセル移行条件が緩和されることにより、優先度が高い周波数を選択しやすい状況が実現されている。
【０１７６】
具体的には、ＲＲＣアイドル状態のＵＥ１００は、在圏しているセル（サービングセル）の周波数優先度と再選択評価を行うセル（評価セル）の周波数優先度との大小関係に応じて、以下の何れかの動作を行う。
【０１７７】
１）「評価セルの周波数優先度＞サービングセルの周波数優先度」である場合：ＵＥ１００は、評価セルの受信電力がある時間継続して閾値より高い場合に、評価セルに移行する、すなわち、評価セルをサービングセルとして再選択する。
【０１７８】
２）「評価セルの周波数優先度≦サービングセルの周波数優先度」である場合：ＵＥ１００は、サービングセルの受信電力が閾値以上である場合に、当該周波数に配置されている評価セルに対して、評価を行わない。サービングセルの受信電力が閾値以下である場合は、１）と同様の動作を行う。
【０１７９】
なお、評価セルが特殊セルであった場合は、ＵＥ１００は状況に応じて上記の動作を適用しない。ここで「特殊セル」とは、例えば、ＣＳＧセルやＭＢＭＳを配信しているセルであり、「状況」とは、ＵＥ１００が当該ＣＳＧのメンバーである事や、当該ＭＢＭＳに興味がある場合を指す。
【０１８０】
このようにして、適切なセルがサービングセルとして再選択される。そして、ＵＥ１００は、ＲＲＣアイドル状態からＲＲＣコネクティッド状態に遷移する際に、選択しているサービングセルに対してランダムアクセス手順を行う。ランダムアクセス手順により、ＵＥ１００は、サービングセルとのＲＲＣ接続を確立する。
【０１８１】
（二重接続方式）
変更例１に係るＬＴＥシステムは、二重接続方式をサポートする。二重接続方式は、リリース１２以降において導入が予定されている。
【０１８２】
二重接続方式は、ＲＲＣコネクティッド状態のＵＥ１００が、異なるｅＮＢ２００により管理される複数のセルとの接続を同時に確立する方式である。なお、二重接続方式は、基地局間キャリアアグリゲーション（ｉｎｔｅｒ−ｅＮＢ  ＣＡ）と称されることがある。
【０１８３】
二重接続方式では、ＵＥ１００との接続を確立する複数のセルのうち、１つのセル（１つのｅＮＢ２００）のみが当該ＵＥ１００とのＲＲＣ接続を確立する。すなわち、当該複数のセルのうち他のセル（他のｅＮＢ２００）は、ＲＲＣ層よりも下位層の接続をＵＥ１００と確立し、ＲＲＣ接続を当該ＵＥ１００と確立しない。
【０１８４】
以下、二重接続方式において、ＲＲＣ接続をＵＥ１００と確立するセル（ｅＮＢ２００）をマスタセル（マスタｅＮＢ）と称する。また、二重接続方式において、ＲＲＣ層よりも下位層の接続をＵＥ１００と確立する１又は複数のセル（ｅＮＢ２００）をセカンダリセル（セカンダリｅＮＢ）と称する。
【０１８５】
マスタｅＮＢは、ＲＲＣ層の処理、例えばＵＥ１００のモビリティ制御（Ｍｏｂｉｌｉｔｙ  ｍａｎａｇｅｍｅｎｔ）を行う。モビリティ制御とは、ハンドオーバ制御などである。マスタｅＮＢ及びセカンダリｅＮＢのそれぞれは、１つのＵＥ１００に対するスケジューリングを行い、当該１つのＵＥ１００に無線リソースを割り当てる。ＵＥ１００には、各ｅＮＢから無線リソースが割り当てられるため、スループットの向上が見込まれる。
【０１８６】
（変更例１に係る動作）
二重接続方式では、マスタセルがマクロセルであり、セカンダリセルがマクロセルよりも小型のセル（小セル）であるシナリオが主として想定される。ここで、小セルは、例えばピコセル又はフェムトセル等であり、マクロセルのカバレッジ内に配置される。変更例１において、マクロセルは第１セルに相当し、小セルは第２セルに相当する。
【０１８７】
このように、カバレッジの広いセルをマスタセルとして設定することにより、ＲＲＣコネクティッド状態のＵＥ１００の移動に対応する、すなわち、モビリティを強化することができる。具体的には、二重接続方式の通信を行うＵＥ１００が小セルとのＲＲＣ接続を確立する場合、当該ＵＥ１００の移動に伴って、ＲＲＣ接続をマクロセルに切り替えるための処理（ハンドオーバ等）が必要となる。
【０１８８】
よって、変更例１では、小セルからマクロセルへのハンドオーバを未然に防止するために、マスタセルをマクロセルに限定し、セカンダリセルを小セルに限定するケースを想定する。
【０１８９】
変更例１では、二重接続方式をサポートし、かつＲＲＣアイドル状態のＵＥ１００は、小セルをサービングセルとして選択せずにマクロセルをサービングセルとして選択するためのセル再選択制御を行う。これにより、ＵＥ１００は、先ずマクロセルとのＲＲＣ接続を確立する。よって、マスタセルをマクロセルに限定し、セカンダリセルを小セルに限定するケースにおいて、二重接続方式をサポートするＵＥ１００が二重接続方式の通信を容易に開始することができる。
【０１９０】
図１３は、変更例１に係る動作環境を示す図である。
【０１９１】
図１３に示すように、ｅＮＢ２００−１は、周波数１（第１周波数）に属するマクロセルを管理する。ｅＮＢ２００−２は、周波数１とは異なる周波数２（第２周波数）に属する小セルを管理する。ｅＮＢ２００−１及びｅＮＢ２００−２は、バックホールインターフェイス（例えば、Ｘ２インターフェイス）により相互に接続されている。小セルはマクロセルのカバレッジの少なくとも一部と重複するカバレッジを有する。ＵＥ１００は、マクロセルのカバレッジと小セルのカバレッジとが重複する領域内に位置する。ＵＥ１００は、リリース１２以降の仕様に準拠しており、二重接続方式をサポートする。
【０１９２】
変更例１では、ｅＮＢ２００−１は、セル再選択制御に使用される制御情報をＵＥ１００にユニキャスト又はブロードキャストで送信する。当該制御情報は、セル再選択における周波数２の優先度を周波数１の優先度に比べて相対的に低下させるための情報（Ｃｅｌｌ  Ｒｅｓｅｌｅｃｔｉｏｎ  Ｐｒｉｏｒｉｔｙ）である。例えば、ｅＮＢ２００−１は、小セルが属する周波数２を最低優先度に設定する制御情報を送信する。具体的には、仕様上、周波数ごとに０〜７の８段階の優先度が設定可能であるため、周波数２をその中の最低優先度に設定する制御情報を送信する。或いは、新しく０〜７以外に、周波数２が最低優先度であることを示すフラグ（新たに１ビット）を加えて制御情報を送信してもよい。或いは、周波数２を最低優先度にするのではなく、マクロセルが属する周波数１をある優先度に設定し、小セルが属する周波数２を当該優先度よりも低い優先度に設定する制御情報を送信してもよい。
【０１９３】
制御情報を受信したＵＥ１００は、当該受信した制御情報に基づいてセル再選択制御を行う。制御情報により、マクロセルが属する周波数１の優先度よりも小セルが属する周波数１の優先度が低くなる。上述したように、ＵＥ１００は、セルサーチ時に優先度が高い周波数を常に測定対象とし、かつ、優先度が高いほどセル移行条件が緩和され、ＵＥ１００は、マクロセルをサービングセルとして選択することができる。
【０１９４】
なお、当該制御情報をｅＮＢ２００−１が送信する場合に限らず、当該制御情報をｅＮＢ２００−２がブロードキャストで送信してもよい。ブロードキャストされる制御情報は、ＲＲＣアイドル状態のＵＥ１００であっても受信可能である。
【０１９５】
また、二重接続方式をサポートしないＵＥについては、当該制御情報を受信しない、又は、当該制御情報を受信しても破棄することが好ましい。
【０１９６】
図１４は、変更例１に係る動作シーケンスを示すシーケンス図である。ここでは、セル再選択制御に使用される制御情報をｅＮＢ２００−１がユニキャストで送信するケースを説明する。以下において、ユニキャストで送信される制御情報を個別制御情報と称する。個別制御情報は、ＲＲＣコネクティッド状態のＵＥ１００のみが受信可能である。
【０１９７】
図１４に示すように、ステップＳ１１０１において、ＵＥ１００は、ｅＮＢ２００−１（マクロセル）とのＲＲＣ接続を確立し、ＲＲＣコネクティッド状態に遷移する。
【０１９８】
ステップＳ１１０２において、ＵＥ１００は、自ＵＥが二重接続方式をサポートしていることを示すＵＥ能力情報をｅＮＢ２００−１に通知する。ＵＥ能力情報は、自ＵＥが二重接続方式をサポートしていることを示すことができる情報であればよく、例えば自ＵＥが準拠するリリース（例えばリリース１２）の情報であってもよい。
【０１９９】
ステップＳ１１０３において、ｅＮＢ２００−１は、ＵＥ能力情報に基づいて、セル再選択制御に使用される個別制御情報（Ｃｅｌｌ  Ｒｅｓｅｌｅｃｔｉｏｎ  Ｐｒｉｏｒｉｔｙ）をＵＥ１００に送信する。ｅＮＢ２００−１は、当該個別制御情報をＲＲＣメッセージによりＵＥ１００に送信する。例えば、ｅＮＢ２００−１は、ＲＲＣメッセージの一種であるＲＲＣ接続解放要求メッセージに当該個別制御情報を含める。
【０２００】
ステップＳ１１０４において、個別制御情報を受信したＵＥ１００は、ｅＮＢ２００−１とのＲＲＣ接続を解放し、ＲＲＣアイドル状態に遷移する。
【０２０１】
ステップＳ１１０５において、ＲＲＣアイドル状態に遷移したＵＥ１００は、個別制御情報に基づいてセル再選択制御を行う。
【０２０２】
このように、変更例１によれば、マクロセル及び小セルが異なる周波数に属する場合において、マクロセルが属する周波数１よりも小セルが属する周波数２のセル再選択優先度を低くすることにより、ＲＲＣアイドル状態のＵＥ１００は、小セルをサービングセルとして選択せずにマクロセルをサービングセルとして選択することができる。
【０２０３】
［第２実施形態の変更例２］
以下において、変更例２について、変更例１との相違点を主として説明する。変更例２は、システム構成及び動作環境については、変更例１と同様である。但し、変更例２では、マクロセルが属する周波数と小セルが属する周波数とが同じ周波数であってもよい。
【０２０４】
変更例２では、セル再選択制御に使用される制御情報をｅＮＢ２００−２（小セル）がブロードキャストで送信する。以下において、ブロードキャストで送信される制御情報をブロードキャスト制御情報と称する。ブロードキャスト制御情報は、ＲＲＣアイドル状態のＵＥ１００及びＲＲＣコネクティッド状態のＵＥ１００が受信可能である。
【０２０５】
変更例２に係るブロードキャスト制御情報は、二重接続方式をサポートするＵＥ１００に対するアクセス規制を示す情報である。ブロードキャスト制御情報を受信したＵＥ１００は、ブロードキャスト制御情報に基づいてセル再選択制御を行う。なお、二重接続方式をサポートしないＵＥについては、当該制御情報を受信しない、又は、当該制御情報を受信しても破棄することが好ましい。
【０２０６】
例えば、ｅＮＢ２００−２は、当該ブロードキャスト制御情報を、システム情報の一種であるシステム情報ブロック・タイプ１（ＳＩＢ１）の新たな情報要素として送信する。当該新たな情報要素は、二重接続方式をサポートするＵＥ１００のみに適用されるように、リリース１２以降の情報要素として規定することが好ましい。以下に、当該新たな情報要素の構成例を記載する。
【０２０７】
SystemInformationBlockType1-v12-IEs ::=  SEQUENCE {
cellBarred              ENUMERATED {barred, notBarred},
}
【０２０８】
ここで、情報要素「ｃｅｌｌＢａｒｒｅｄ」は、送信元のセルがアクセス規制中であることを示す「ｂａｒｒｅｄ」、送信元のセルがアクセス規制中でないことを示す「ｎｏｔｂａｒｒｅｄ」の何れかが設定される。ＲＲＣアイドル状態のＵＥ１００は、「ｃｅｌｌＢａｒｒｅｄ」が「ｂａｒｒｅｄ」である場合に、当該セルをサービングセルとして選択しないように制御する。
【０２０９】
但し、ＵＥ１００が一旦マクロセルとのＲＲＣ接続を確立した後は、小セルをセカンダリセルとして利用できることが好ましい。よって、ＵＥ１００は、マクロセルとＲＲＣ接続を確立した後、二重接続方式のために小セルとの接続を確立するようマクロセルから制御された場合には、アクセス規制にかかわらず小セルとの接続を確立する処理を行う。すなわち、小セルをセカンダリセルとして追加する手順が開始された場合、ＵＥ１００は、「ｃｅｌｌＢａｒｒｅｄ」を無視して小セルに対するランダムアクセスを行う。
【０２１０】
図１５は、変更例２に係る動作シーケンスを示すシーケンス図である。
【０２１１】
図１５に示すように、ステップＳ１２０１において、ＵＥ１００は、ＲＲＣアイドル状態に遷移する。
【０２１２】
ステップＳ１２０２において、ＲＲＣアイドル状態のＵＥ１００は、二重接続方式をサポートするＵＥ１００に対するアクセス規制を示すブロードキャスト制御情報をｅＮＢ２００−２（小セル）から受信する。
【０２１３】
ステップＳ１２０３において、ブロードキャスト制御情報を受信したＵＥ１００は、当該受信したブロードキャスト制御情報に基づいてセル再選択制御を行う。具体的には、ＲＲＣアイドル状態のＵＥ１００は、当該ブロードキャスト制御情報の送信元のセル（小セル）がアクセス規制中であると判断し、当該セルをサービングセルとして選択しないように制御する。
【０２１４】
このように、変更例２によれば、マクロセル及び小セルが同じ周波数に属する場合であっても、ＲＲＣアイドル状態のＵＥ１００が小セルをサービングセルとして選択せずにマクロセルをサービングセルとして選択することができる。
【０２１５】
［第２実施形態の変更例３］
以下において、変更例３について、変更例１及び変更例２との相違点を主として説明する。変更例３は、システム構成及び動作環境については、変更例１と同様である。但し、変更例３では、マクロセルが属する周波数と小セルが属する周波数とが同じ周波数であってもよい。
【０２１６】
変更例３では、ＵＥ１００は、ネットワーク（Ｅ−ＵＴＲＡＮ１０又はＥＰＣ２０）から、小セルの識別子を含むリスト（以下、「小セルリスト」）を取得する。ＲＲＣアイドル状態のＵＥ１００は、小セルリストに基づいてセル再選択制御を行う。小セルの識別子とは、例えば小セルの物理セル識別子（ＰＣＩ）である。ＵＥ１００は、セルから受信する同期信号に基づいて当該セルのＰＣＩを特定し、小セルリストに含まれるＰＣＩに対応するセルを小セルと判断する。小セルの識別子は、Ｇｌｏｂａｌ  ｅＮＢ  ＩＤ、ｅＮＢ  ＩＤ、ＥＣＧＩ、ＥＣＩ、運用している周波数（ERFCN）等であってもよい。
【０２１７】
ＲＲＣアイドル状態のＵＥ１００は、小セルをサービングセルとして選択することを禁止するセル再選択制御を行う。
【０２１８】
或いは、ＲＲＣアイドル状態のＵＥ１００は、セル再選択における小セルの優先度を相対的に低下させるセル再選択制御を行う。例えば、セル再選択のセル評価において、小セルの受信電力に対して負のオフセットを与える、又は、小セルの受信電力と比較される閾値に対して正（又は負）のオフセットを与える。これらのオフセットの値は、ネットワークからのブロードキャスト制御情報に含まれていてもよい。
【０２１９】
図１６は、変更例３に係る動作シーケンスを示すシーケンス図である。
【０２２０】
図１６に示すように、ステップＳ１３０１において、ＵＥ１００は、ＲＲＣコネクティッド状態に遷移する。
【０２２１】
ステップＳ１３０２において、ＵＥ１００は、小セルリストをネットワーク（Ｅ−ＵＴＲＡＮ１０又はＥＰＣ２０）から取得する。小セルリストは、ＲＲＣメッセージに含まれてもよく、ＮＡＳメッセージに含まれてもよい。
【０２２２】
ステップＳ１３０３において、ＵＥ１００は、ＲＲＣアイドル状態に遷移する。
【０２２３】
ステップＳ１３０４において、ＲＲＣアイドル状態に遷移したＵＥ１００は、小セルリストに基づいてセル再選択制御を行う。
【０２２４】
このように、変更例３によれば、マクロセル及び小セルが同じ周波数に属する場合であっても、ＲＲＣアイドル状態のＵＥ１００が小セルをサービングセルとして選択せずにマクロセルをサービングセルとして選択することができる。
【０２２５】
［変更例４］
以下において、変更例４について、変更例１乃至変更例３との相違点を主として説明する。変更例４は、システム構成及び動作環境については、変更例１と同様である。但し、変更例４では、マクロセルが属する周波数と小セルが属する周波数とが同じ周波数であってもよい。
【０２２６】
変更例４では、セル再選択制御に使用される制御情報をｅＮＢ２００−２（小セル）がブロードキャストで送信する。ブロードキャスト制御情報は、ＲＲＣアイドル状態のＵＥ１００及びＲＲＣコネクティッド状態のＵＥ１００が受信可能である。
【０２２７】
変更例４に係るブロードキャスト制御情報は、当該ブロードキャスト制御情報の送信元セルのセル種別を示す情報である。ＵＥ１００は、ブロードキャスト制御情報に基づいてセル再選択制御を行う。
【０２２８】
例えば、ｅＮＢ２００−２は、当該ブロードキャスト制御情報を、システム情報の一種であるシステム情報ブロック・タイプ１（ＳＩＢ１）の新たな情報要素として送信する。当該新たな情報要素は、二重接続方式をサポートするＵＥ１００のみに適用されるように、リリース１２以降の情報要素として規定することが好ましい。以下に、当該新たな情報要素の構成例を記載する。
【０２２９】
SystemInformationBlockType1-v12-IEs ::=  SEQUENCE {
CellTypeIndication            ENUMERATED {SmallCell, nonSmallCell},
}
【０２３０】
ここで、情報要素「ＣｅｌｌＴｙｐｅＩｎｄｉｃａｔｉｏｎ」は、送信元のセルが小セルであることを示す「ＳｍａｌｌＣｅｌｌ」、送信元のセルが小セルでないことを示す「ｎｏｎＳｍａｌｌＣｅｌｌ」の何れかが設定される。ＲＲＣアイドル状態のＵＥ１００は、「ＣｅｌｌＴｙｐｅＩｎｄｉｃａｔｉｏｎ」が「ＳｍａｌｌＣｅｌｌ」である場合に、当該セルをサービングセルとして選択しないように制御する。
【０２３１】
例えば、ＲＲＣアイドル状態のＵＥ１００は、小セルをサービングセルとして選択することを禁止するセル再選択制御を行う。
【０２３２】
或いは、ＲＲＣアイドル状態のＵＥ１００は、セル再選択における小セルの優先度を相対的に低下させるセル再選択制御を行う。例えば、セル再選択のセル評価において、小セルの受信電力に対して負のオフセットを与える、又は、小セルの受信電力と比較される閾値に対して正（又は負）のオフセットを与える。これらのオフセットの値は、ネットワークからのブロードキャスト制御情報に含まれていてもよい。
【０２３３】
図１７は、変更例４に係る動作シーケンスを示すシーケンス図である。
【０２３４】
図１７に示すように、ステップＳ１４０１において、ＵＥ１００は、ＲＲＣアイドル状態に遷移する。
【０２３５】
ステップＳ１４０２において、ＲＲＣアイドル状態のＵＥ１００は、送信元セルのセル種別を示すブロードキャスト制御情報をｅＮＢ２００−２（小セル）から受信する。
【０２３６】
ステップＳ１４０３において、ブロードキャスト制御情報を受信したＵＥ１００は、当該受信したブロードキャスト制御情報に基づいてセル再選択制御を行う。
【０２３７】
このように、変更例４によれば、マクロセル及び小セルが同じ周波数に属する場合であっても、ＲＲＣアイドル状態のＵＥ１００が小セルをサービングセルとして選択せずにマクロセルをサービングセルとして選択することができる。
【０２３８】
［その他の実施形態］
上述した変更例３及び変更例４では、ＵＥ１００は小セルを認識しており、２つのセルの状態を加味したセル再選択制御を行ってもよい。例えば、ＵＥ１００は、キャンプ中のマクロセルの信号強度が閾値以下になり、なおかつ、小セルの信号強度が閾値以上になった場合に小セルを選択する。或いは、ＵＥ１００は、キャンプ中の小セルの信号強度が閾値以下になる、または、マクロセルの信号強度が閾値以上になった場合にマクロセルを選択する。
【０２３９】
上述した変更例２乃至変更例４では、マクロセル及び小セルが同一周波数に設けられるケースについて触れたが、マクロセル及び小セルが同一周波数に設けられており、かつシステムがその周波数しかサポートしていないという環境下で、小セルへのアクセスを禁止してしまうことは好ましくないと考えられる。よって、そのような環境では、ＡＢＳ（Ａｌｍｏｓｔ  Ｂｌａｎｋ  Ｓｕｂｆｒａｍｅ）等を用いて小セルに無送信区間を設定し、ＵＥ１００に当該無送信区間においてマクロセルを評価するよう制御してもよい。
【０２４０】
上述した各実施形態では、第１セルがマクロセルであり、第２セルが小セルであるケースを例示した。しかしながら、そのような組み合わせに限らず、第１セルがピコセル（又はマクロセル）であり、第２セルがフェムトセルであってもよい。図１８は、その他の実施形態に係る動作環境を示す図である。図１８に示すように、ＵＥ１００−１は、マクロセル（マクロｅＮＢ）をマスタセル（マスタｅＮＢ）として設定し、ピコセル（ピコｅＮＢ）をセカンダリセル（セカンダリｅＮＢ）として設定する。ＵＥ１００−２は、ピコセル（ピコｅＮＢ）をマスタセル（マスタｅＮＢ）として設定し、フェムトセル（ホームｅＮＢ）をセカンダリセル（セカンダリｅＮＢ）として設定する。
【０２４１】
上述した各実施形態では、移動通信システムの一例としてＬＴＥシステムを説明したが、ＬＴＥシステムに限定されるものではなく、ＬＴＥシステム以外のシステムに本発明を適用してもよい。
【０２４２】
[付記１]
以下において、上述した実施形態の補足事項について付記する。
【０２４３】
（二重接続の必要性）
低電力ノードを使用したホットスポット領域における、モビリティのロバスト性と容量／ユーザースループットの両方を向上させる必要がある。ユーザ体験の向上のために、最も重要な使命の１つは容量及びユーザースループットの増大である。２以上のｅＮＢからリソースを活用する可能性により、容量及びユーザースループットがさらに向上すると考えられている。しかしながら、以下に列挙する２つの課題が解決されなければならない。
【０２４４】
b)  ２以上のｅＮＢでの無線リソースの活用による、システム容量向上の困難さ（例えば、ＵＬ／ＤＬ不均衡の問題による）
d)  ２以上のｅＮＢでの無線リソースの活用による、ユーザ毎のスループット向上の困難さ
【０２４５】
ｂ）に関して、ＵＬ／ＤＬ電力の不均衡の主な要因は、マクロセルと小セルとの間の送信電力（Ｔｘ  ｐｏｗｅｒ）の違いである。同一チャネルＨｅｔＮｅｔの配置シナリオに対し、ＵＬ／ＤＬ電力の不均衡がある。先のリリースで導入された解決策と比べ、スループット利得などの付加的な利益をもたらし得る他の解決策を探求することは有益である。
【０２４６】
ｄ）に関しては、ＣＡ及びＣｏＭＰによる解決策が開発されているが、まだいくつかの制限が存在する。Ｒｅｌ−１０／１１でのＣＡは同一のｅＮＢ配下のセルの集約のみを許容し得る。そして、Ｒｅｌ−１１でのＣｏＭＰは理想的なバックホールを有するｅＮＢ間の調整のみを許容し得る。現在のところ、異なるｅＮＢに属する２つの非同一チャネルのセルにより、また、非理想的なバックホールを通して接続された同一チャネルのセルにより、同時にサーブされるＵＥを許容する既存の仕組みはない。より使用に適した帯域幅によってユーザ体験を向上させるため、Ｒｅｌ−１２の小セル高度化に対して、非理想的なバックホールを有する複数のｅＮＢにまたがったＣＡが検討されるべきである。この目的を達成するため、ＵＥがマクロセルと小セルの両方との二重接続（例えば、非同一チャネル二重接続）を有することができるアーキテクチャを採用すべきである。
【０２４７】
提案１：  小セル高度化の検討事項における非同一チャネル二重接続のアーキテクチャを採用すべきである。
【０２４８】
（非同一チャネル二重接続の設計）
・二重接続の複雑性
非同一チャネルシナリオに対する二重接続の使用をサポートするための複雑性について検討する。マクロセルと小セルは非理想的なバックホールを介して接続されている。これは、より長いバックホール待ち時間を想定し得ることを意味する。バックホール待ち時間が長くなると、各小セルがそれ自体のスケジューラを有する必要が生じることもある。二重接続をサポートするために、２つのセル間でスケジューラを調整すると、さらに複雑化する点ついて、慎重に検討しなければならない。すなわち、ユーザ体験の増大というメリットによって複雑さが増大しても許容されるか否かということである。
【０２４９】
さらに、トラフィック分割の複雑性について検討すべきである。トラフィック分割に関する典型的な使用例の１つとして、ＵＥがＶｏＩＰ呼とデータアプリケーションを同時に実行する場合がある。ＶｏＩＰ呼がマクロセルに残る一方で、データアプリケーションが小セルにオフロードされるならば、このＱｏＳに基づくトラフィック分割は、ユーザ体験を向上させ、マクロセルにより多くのリソースを提供する可能性を有している。Ｒｅｌ−１０／１１ＣＡ及びＣｏＭＰの動作のための現行のアーキテクチャにおいて、２つ以上のセルにわたるトラフィックの分割が許容されているが、複数のｅＮＢにわたってトラフィックを分割することは、現行のアーキテクチャでは許容されていない。そのため、２つのｅＮＢにわたってトラフィックを分割することを、この検討事項の主な目的の１つとして検討すべきである。
【０２５０】
非同一チャネル二重接続をサポートするために、次のような問題を考慮すべきである。
【０２５１】
バックホール待ち時間
マクロセルと小セルとの間のスケジューラ調整
複数のｅＮＢをまたぐトラフィック分割
【０２５２】
・二重接続のためのアンカーセル及びブースターセル
ＣＡにおいて、ＵＥがマクロセルと小セルに同時に接続している（ＲＲＨ）ため、ＲＲＨによるタイプ４のシナリオは、二重接続をサポートするのに必要な基本的なツールを有すると思われる。タイプ４のＣＡは、小セルがＲＲＨではない一般的な場合に対応していないが、非同一チャネル二重接続に対する基準設計として検討されるべきである。ＣＡの本質的特徴の１つは、１つのｅＮＢにより動作させられるＣＣのみが集約できるため、ＳＣｅｌｌ候補があらかじめ定義されていることである。全ての小セルが二重接続の好適な候補となるわけではないため、あらかじめ定義されたＳＣｅｌｌ候補という概念は、二重接続に引き継がれるべきである。小セルはＵＥのカバレッジ内に存在しなくてはならず、かつ、ネットワーク実装の観点から見てバックホールの遅延の要件に適合していなければならない。ＣＡから取り入れられるもう１つの概念は、ＳＣｅｌｌの追加及び削除のための手順である。これは、ハンドオーバを行わずに可能である。ハンドオーバはＰＣｅｌｌが変わったときに行われるだけである。この概念は二重接続に対しても再利用すべきである。他の重要な事項はＰＣｅｌｌとしての小セルの適合性である。多数の小セルが所与の領域に配置されている場合、多数のハンドオーバが発生し、過剰なシグナリング負荷及びモビリティのロバスト性の低下につながる場合がある。これを踏まえて、アンカーセルとブースターセルとの関係があらかじめ定義された、アンカーセルの概念を導入すべきである。特に、二重接続の下では、マクロセルのみがアンカーとなるべきである。一方で、小セルは常にブースターセルとなる。この概念により、同一のアンカーセルの下にある１つの小セルから他への遷移はハンドオーバ手順を必要としないため、過剰なシグナリングを回避することができる。
【０２５３】
提案２：  二重接続のためのセルの組み合わせ候補は、あらかじめ定義されるべきである。
【０２５４】
提案３：  アンカーセルとブースターセルとの関係があらかじめ定義された、アンカーセルの概念を導入すべきである。
【０２５５】
提案３に合意がなされ、ＣＡの概念を二重接続に対するＳＣｅｌｌの追加及び削除（つまり、ブースターセルの追加及び削除）に適用した場合、ブースターセルの追加／削除の通知は常にアンカーセルから来る。ＵＥがブースターセルにのみ接続しており、かつ、そのブースターセルがそのような通知を送信する能力を有している場合であっても、アンカーセルがそのＵＥのモビリティを管理すべきであり、そのため、小セルは、二重接続の動作に入る前に、そのＵＥをアンカーセルにハンドオーバする必要がある。それゆえ、小セルは二重接続を開始する必要はない。トラフィック分割に関しては、トラフィック分割アーキテクチャについて異なる代替案が存在しており、解決策の候補の是非を評価する必要があるだろう。しかしながら、どのアーキテクチャによる解決策が最終的に選択されようと、任意の好適なアーキテクチャの主な目的の１つは、どちらがアンカーセルとブースターセルとの間のトラフィック分割を決定するかを判断することであると考える。ブースターセルにサーブされるトラフィックは、アンカーセルを介して送出されるべきであると想定されるため、アンカーセルがトラフィック分割を決定することが簡明であると考える。
【０２５６】
提案４：  アンカーセルは、二重接続の通知をＵＥへ送信することにより、トラフィック分割及び二重接続の開始の権限を持つべきである。
【０２５７】
先の段落で述べたように、アンカーセルとブースターセルとの間のバックホール待ち時間が長くなることを考慮すべきである。二重接続の下でＲＲＭを向上させるために、ＵＥは個々のセルに対して、別々にＣＳＩを報告すべきであり、さもなければ、ブースターセルのスケジューリング性能は、信頼できないＣＳＩフィードバックにより低下してしまうだろう。さらなる高度化として、ブースターセルのバックホールの遅延が過剰となることがあるため、ＵＥが、二重接続を維持するために、ブースターセルのＤＬ  ＣＱＩを、アンカーセルに送信してもよい。ＵＥがこのブースターセルのＣＱＩ報告をアンカーセルに送信する頻度は、ＮＷの実装により判断することができる。例えば、ＵＥはブースターセルのＣＱＩを５ミリ秒毎に報告してもよい。しかしながら、ＵＥはブースターセルのＣＱＩ報告を、２０ミリ秒毎（４つめの報告毎）に、アンカーセルに送信してもよい。この報告はアンカーセルのＣＱＩ報告にピギーバック（ｐｉｇｇｙｂａｃｋ）してもよい。
【０２５８】
提案５：  ＵＥは、ＣＳＩを、個々のセルに別々に報告すべきである。ＵＥが、ブースターセルのＣＱＩ報告も、アンカーセルに送信すべきか否かは更なる検討事項である。
【０２５９】
［付記２］
（オプションＣ１に対するモビリティアンカー）
・非同一チャネルのケース（シナリオ２）
ＣＰアーキテクチャのオプションＣ１を周波数間二重接続アーキテクチュアに適用する場合、ＵＥとネットワークは、ＣＡアーキテクチュアと同様、１つのＲＲＣエンティティだけを有する。オプションＣ１において、可能な限り、現在のＣＡ手順を再利用するべきである。しかし、周波数間二重接続アーキテクチュアとＣＡアーキテクチュアとの間の１つの明確な違いは、二重接続に対するモビリティアンカーの定義についての潜在的な必要性である。二重接続において、ＭｅＮＢ（マスタｅＮＢ）は、常にモビリティ管理に対して権限を有する。その結果、同じＭｅＮＢのカバレッジ内の隣接するＳｅＮＢ（セカンダリｅＮＢ）の間において、頻繁にハンドオーバを行う必要性が減少し、シグナリング負荷が削減する。一方、ＣＡにおいては、ＰＣellが常にモビリティ管理に対する権限を有する。ＭｅＮＢおよびＳｅＮＢはともＰＣellにとって候補であり得るので、どのｅＮＢであってもＵＥに対するモビリティ権限を提供することが潜在的に可能である。
【０２６０】
提案１：  シナリオ２において、オプションＣ１を採用する場合、モビリティアンカーをＭｅＮＢに対して定義するべきであるという例外を除けば、二重接続は可能な限りＣＡを再利用すべきである。
【０２６１】
・同一チャネルのケース（シナリオ１）
シグナリング負荷の増大とＵＥ別スループットの増大とに対する課題を考えれば、二重接続も同一チャネルのケース（シナリオ１）に適用すべきである。特に、二重接続の運用における１つの潜在的な利点は、コンテキストの転送が減るためシグナリングが減少する点である。従って、二重接続は、シナリオ１に対しても有用である。同一チャネルのケースにおいて二重接続の運用を導入することを決定した場合、シナリオ１とシナリオ２との間アーキテクチュアが統合されるので望ましい。シナリオ１において、二重接続は、ＣＲＥ領域のＵＬ／ＤＬ電力におけるアンバランスの問題を扱う際に特に魅力的である。しかしながら、ＵＥがＳｅＮＢの中心である場合、ＵＥは、ＭｅＮＢとの直接的なＵｕインターフェイスを有しなくなる。むしろ、ＵＥはＳｅＮＢにだけ接続されることになる。コンテキスト転送の量を制限する１つの方法は、ＭｅＮＢをモビリティアンカーとして機能させ、ＵＥがＭｅＮＢと接続されなくなっても、ＵＥのコンテキスト情報を保持することである。ＭｅＮＢは、ＳｅＮＢのＵｕインターフェイスを介して、ＵＥに対してＲＲＣメッセージを送信する選択肢を有することになると思われる。しかし、多くの未解決の課題が存在するため、オプションＣ１において、ＣＡアーキテクチュア機能を保持し続けることが適切であるかどうかをさらに評価するべきである。
【０２６２】
提案２：  シナリオ１において、オプションＣ１を採用した場合、モビリティアンカーをＭｅＮＢに対してだけ採用するべきであるという例外を除けば、二重接続は可能な限りＣＡを再利用すべきである。
【０２６３】
（オプションＣ２に対する検討点）
オプションＣ１とは対照的に、オプションＣ２では、ＵＥが、ＭｅＮＢとＳｅＮＢの両方に直接的なＲＲＣ接続を有する。オプションＣ２は、イントラｅＮＢ  ＣＡからかなり逸脱することになるが、無視できないモビリティ管理における利点を提供し得る。
【０２６４】
・オプションＣ２の潜在的な利点
ＲＬＦ
ＣＡでは、ＵＥにおいてＰＣellとのＲＬＦが発生した場合、ＵＥは、適切なセルを見つけることができると仮定して、再確立（reestablishment）手順を開始する。ＵＥは、再確立手順を開始する前に、（１つまたは複数の）ＳＣｅｌｌの解放も行う。ＵＥがＳＣｅｌｌとのＲＲＣ接続を有しないため、現実的に、実現可能な選択肢があるわけではない。二重接続がＣＡと同じ手順を踏まえるのであれば、ＳｅＮＢへの接続は解放されるべきであり、再確立が適切なセルと実行されるべきである。
【０２６５】
しかしながら、オプションＣ２に関する１つの潜在的な利点は、ＵＥにおいてＭｅＮＢとのＲＬＦが発生した場合、ＳｅＮＢとのＲＲＣ接続を維持し続ける可能性があることである。ＳｅＮＢのＲＲＣ接続の主な意図は、ＳｅＮＢ（例えば、ＭｅＮＢではなく、ＳｅＮＢに対するＲＲＭ）別の機能を果たすことであるが、ＳｅＮＢのＲＲＣ機能を拡大して、ＲＬＦまたはＨＯＦなどの異常な条件に対処できる可能性がある。例えば、ＵＥは、典型的なＲＡ処理を経ず、ＵＥがＲＲＣ接続再確立メッセージをＳｅＮＢに送信することを許可されるように、制限されたＲＲＣ手順を用いて、ＳｅＮＢとの単一セルオペレーションに戻ることもできる。任意で、ＳｅＮＢは、同様に、適切なＭｅＮＢに対して再確立に関するメッセージを送信することができる。
【０２６６】
提案３：  オプションＣ２を採用する場合、ＵＥにおいてＭｅＮＢとのＲＬＦが発生した場合、再確立手順をさらに向上させることが有益かどうかを検討するべきである。
【０２６７】
二重接続アクティベーション
二重接続アクティベーションは、オプションＣ２が潜在的に有益であるその他の領域である。オプションＣ１では、ＵＥが小セルに最初に在圏した場合、ＵＥはＭｅＮＢとのＲＲＣ接続しか有さないため、小セルは、二重接続の前にＵＥをＭｅＮＢに対してハンドオーバさせる必要がある可能性が高い。二重接続の前に小セルからＭｅＮＢへのハンドオーバに対する必要性を避ける１つの方法は、ＭｅＮＢだけが二重接続を構成することが可能なため、ＵＥが常にＭｅＮＢに在圏していることを確実にすることである。しかしながら、小セルがレガシーＵＥをサポートする必要があるため、レガシーＵＥをスタンドアローン型のセルとしてサポートできる必要がある。従って、ＵＥが小セルに在圏することを防ぐことが難しい可能性がある。二重接続可能なＵＥに対するセル再選択手順を更に向上すべきかは今後の検討が必要である。
【０２６８】
提案４：二重接続可能なＵＥにおけるセル再選択手順を更に向上すべきかを検討するべきである。
【０２６９】
オプションＣ２では、オプションＣ１と同じ手順が適用されたが、小セルはＵｕインターフェイスを介してＵＥとＲＲＣ接続を有するので、最初にＵＥをＭｅＮＢに対してハンドオーバ―させずに、小セルがＵＥのＭｅＮＢとの二重接続を確立できる可能性がある。二重接続が作動する前にＵＥが最初にＭｅＮＢに接続するか、またはＳｅＮＢと接続するかに差異はないので、これにより、アイドルモビリティ手順を簡素化することができる。従って、ＵＥがオプションＣ２において二重接続の運用を開始したとき、ＵＥが１つのノードとＲＲＣ接続を維持することを許可する手順を導入するべきである。そのような手順が実行可能かどうかは、どのエンティティが二重接続を開始することを許可されるかにかかっている。ＭｅＮＢだけが二重接続を構成することができる場合、この種の向上は不可能である。
【０２７０】
提案５：  オプションＣ２を採用する場合、小セルがＭｅＮＢとの二重接続を開始することを許可する可能性を検討するべきである。
【０２７１】
・オプションＣ２の潜在的な欠点
オプションＣ２の主な欠点の１つに、ＵＥとＮＷ両方の２つのＲＲＣエンティティをサポートする必要性に関する複雑性がある。そのような複雑性が制御可能な場合でも、オプションＣ２における二重接続の効果は、シナリオ１において特にさらに評価すべきである。先に述べたように、ＭｅＮＢに対するモビリティアンカーを定義することによって、オプションＣ１を使用するシナリオ１において二重接続をサポートされ得る。しかしながら、シナリオ１において二重接続が行われた際、オプションＣ２が効果的かどうかは不明瞭である。ＵＥがＣＲＥ領域にある場合、ＵＥがおのおのＵｕインターフェイスを介して、ＭｅＮＢとＳｅＮＢ両方と直接的なＲＲＣ接続を確立し維持することは可能だろう。しかしながら、ＵＥはＳｅＮＢの中心に向かって移動するので、ＳｅＮＢとのＵｕインターフェイスだけが維持された場合、ＵＥがどのようにＭｅＮＢとのＲＲＣ接続を維持するかは不明瞭である。ＳｅＮＢとのＵｕインターフェイスを介してＲＲＣメッセージをＭｅＮＢからＵＥへ送信することは可能でもあるが、オプションＣ２をサポートする目的がなくなる。従って、二重ＲＲＣのサポートに関連する複雑性が制御可能であったとしてもオプションＣ２がオプションＣ１に対して有益かどうかは不明瞭である。
【０２７２】
提案６：  シナリオ１の二重接続をサポートする点において、オプションＣ２がオプションＣ１と同様の効果を有するかどうかを検討するべきである。
【０２７３】
（ＣＡおよび二重接続）
これまでのところ、ＣＡと二重接続とは、別々に考察されてきた。リリース12または、必要であれば、将来のリリースにおいて、ＵＥが二重接続とＣＡとを同時にサポートする可能性を拒む特別な理由はない。事実、両技術は非常に似た手順を有している。シナリオ１では、ＭｅＮＢとＳｅＮＢの両方がＦ１およびＦ２をサポートしているようである。従って、上記シナリオは実行可能である。また、既存のＭｅＮＢの多くは、複数の周波数帯をすでにサポートしているためＣＡもサポートできる。高周波数での小セルが加わったため、ＣＡおよび二重接続を同時にサポートすることをオペレータが考えることは、当然、予期される。両方の技術が同時にサポートされれば、オペレーションの複雑さを低減するため、ＣＡのメカニズムを再利用するこが好ましいと思われる。オプションＣ１又はＣ２のいずれが採用されるかに関わらず、モビリティの見解から、ＭｅＮＢ用のアンカーセルの使用も検討するべきである。
【０２７４】
提案７：  ＣＰアーキテクチャに関わらず、ＭｅＮＢは、二重接続を作動させるとき、モビリティ管理の権限を有するべきである。
【０２７５】
［付記３］
ｅＮＢ間ＣＡ（二重接続）に対するベースラインのＣＰアーキテクチャとして、オプションＣ１の使用について合意されている。解決するべきｅＮＢ間ＣＡの１つの側面として、ＲＬＦの状況の対処がある。ＳｅＮＢのＲＬＭに関連したＲＬＦ、ｅＮＢ間ＣＡアクティベーション、ＲＡＣＨ障害の問題を考察する。
【０２７６】
（考察）
ｅＮＢ間ＣＡとｅＮＢ内ＣＡとはどちらもＵＥを複数のセルに同時に接続させることによってユーザのスループットを増大させる利点がある。ＭｅＮＢとＳｅＮＢの両方が、ＭＣＧとＳＣＧに属する自サービングセルをそれぞれ有する。ＵＥとＮＷの両方における不必要な複雑性を回避するため、ｅＮＢ内ＣＡのＣＰアーキテクチャをｅＮＢ間ＣＡのＣＰアーキテクチャにおいて可能な限り再利用することが好ましい。しかしながら、ｅＮＢ内ＣＡ手順の再利用は、ｅＮＢ間ＣＡのパフォーマンスに大きな低下をもたらさないよう注意が必要である。ＲＬＦに関する以下の考察において、ｅＮＢ間ＣＡにおけるＲＬＦに関する問題は、ｅＮＢ内ＣＡ用の既存の手順で議論される。
【０２７７】
・ＳＣＧ内の特殊セルのＲＬＭ
ｅＮＢ内ＣＡでは、ＰＣellが、追加／アクティベーションおよび潜在的なＲＬＦを含め、ＣＱＩおよび測定報告を使ってＳＣｅｌｌの状態を判定するため、ＲＬＭは、ＳＣｅｌｌでは、サポートされない。ｅＮＢ間ＣＡでは、状況は簡単ではない。というのは、ＳｅＮＢが自身のスケジューラを有し、Ｘｎインターフェイスにおけるレイテンシが過剰だと仮定されるので、ＵＥがＭｅＮＢとＳｅＮＢへＣＱＩを送信することが当然だと考えられるからである。この概念を図１９に示す。図１９では、ＵＥは、ＭｅＮＢとＳｅＮＢの両方に各ＣＱＩを送信する。さらに、二重接続がＳｅＮＢに対して確立されると、特別セルが設定され、常に作動されることがすでに決定されている。ＲＬＭがＭｅＮＢだけに適用される場合、ＵＥは特別セルの品質をモニターすることができなくなり、必要なアクションを取ることができなくなる。特別セルとだけ無線リンクを失敗した結果、ＵＥがＲＬＭをトリガできなかったにしても、ＳｅＮＢが二重接続の一部としてもはや利用不可能ならＵＥに対するＱｏＳに対して悪影響を及ぼすだろう。従って、特別セルのＲＬＭはサポートされるべきである。ＳｅＮＢとのＲＬＦは特別セルにだけ基づくことが想定される。
【０２７８】
提案１：  ベースラインとして、ＵＥは、ＭｅＮＢとＳｅＮＢへ、ＣＱＩを送信するべきである。
【０２７９】
提案２：  ＵＥは、ＲＬＭをＳｅＮＢに対しても適用するべきである。
【０２８０】
提案２が同意可能な場合、ＭｅＮＢがＲＬＭの状態を知る必要があるかどうかを判断する必要がある。ＳｅＮＢへのUＬ送信が許可される場合、ＵＥがＵＬ送信終了後不要なＳＲＳをＳｅＮＢに送信することを防ぐために、ＭｅＮＢができるだけ早くＳｅＮＢを取り除くことが必要になると思われる。さらに、ＭｅＮＢがＳｅＮＢのＲＬＦの状態を知っている場合、ＭｅＮＢは、他の周波数間ＳｅＮＢ候補の測定をＵＥに対して設定できる。ＳｅＮＢまたはＵＥがＭｅＮＢに対してＳｅＮＢのＲＬＦの状態を通知する場合があるが、バックホールレイテンシが過剰な場合、ＵＥがＳｅＮＢのＲＬＦの状態をＭｅＮＢに提供する方が好ましい場合もある。
【０２８１】
提案３：  ＭｅＮＢは、ＳｅＮＢのＲＬＦの状態を通知されるべきである。
【０２８２】
提案３が同意されたとして、ＳｅＮＢのＲＬＦの状態をＭｅＮＢに通知する際の形態もまた決定する必要がある。１つの可能性として、ＵＥがＳｅＮＢに対してＲＬＦを断定した後初めて、ＵＥまたはＳｅＮＢが指示をＭｅＮＢに送信することが考えられる。しかしながら、ＭｅＮＢはＳｅＮＢの追加／除外／切替に対して権限を有するので、ＭｅＮＢがＳｅＮＢのＣＱＩ情報を得てＳｅＮＢに対するリンクをうまくモニターできるようにした方が有益だと思われる。ベアラスプリットオプションを有するＡＬＴ３Ｃが、２つのＵＰアーキテクチャの１つとしてすでに合意されているので、ＳｅＮＢに対してステアリングされるトラフィックを決めるのはＭｅＮＢ次第となるだろう。ＳｅＮＢのＣＱＩを有するということは、ＭｅＮＢがベアラスプリットの管理に関する決定ができ、利点があると言える。
【０２８３】
提案４：  ベースラインとして、ＵＥは、ＭｅＮＢに対して、ＳｅＮＢのＣＱＩを送信するべきである。ＣＳＩからの追加の情報がまた必要になるかどうかは、今後の検討が必要である。
【０２８４】
（ｅＮＢ間ＣＡアクティベーション）
ｅＮＢ間ＣＡのアクティベーションは、オプションＣ１に基づいて検討するべきである。ＵＥが小セルに最初に在圏する場合、ＵＥはＭｅＮＢとのＲＲＣ接続しか有さないため、小セルは、ｅＮＢ間ＣＡの前にＵＥをＭｅＮＢに対してハンドオーバさせる必要がある可能性が高い。ｅＮＢ間ＣＡの前に小セルからＭｅＮＢへのハンドオーバに対する必要性を避ける１つの方法は、ＭｅＮＢだけがｅＮＢ間ＣＡを構成することが可能なため、ＵＥが常にＭｅＮＢに在圏していることを確実にすることである。しかしながら、小セルがレガシーＵＥをサポートする必要があるため、レガシーＵＥをスタンドアローン型のセルとしてサポートできる必要がある。従って、ＵＥが小セルに在圏することを防ぐことが難しい可能性がある。ｅＮＢ間ＣＡ可能ＵＥにおけるセル再選択手順について、更に向上すべきか、または過剰なハンドオーバを避けるため接続（Connected）モードで他の向上すべき点が必要かは今後の検討が必要である。
【０２８５】
提案５：  ｅＮＢ間ＣＡ可能ＵＥにおけるセル再選択手順について更に向上すべきか、または過剰なハンドオーバを避けるため接続（Connected）モードで他の向上すべき点が必要かを、検討するべきである。
【０２８６】
（ＲＡＣＨ）
現在、ｅＮＢ間ＣＡにおいて、ＲＡＲがＰＣellから送信されるが、ｅＮＢ間ＣＡのケースには当てはまらない理想的なバックホールに基づくものである。ｅＮＢ間ＣＡでは、ＵＥはＭｅＮＢとＳｅＮＢと両方に対して送信可能であり、そしてＵＥがＳｅＮＢに対してＲＡＣＨプリアンブルを送信するものだと仮定している。しかしながら、ＵＥがＭｅＮＢからＲＡＲを受信した場合、Ｘｎインターフェイスのレイテンシ次第では、ネットワークがどのようにＴ３００タイマに適切な値を適切に決定するかについて悪影響を及ぼす可能性がある。従って、ＳｅＮＢがＵＥに対してＲＡＲを送信するほうがいいと思われる。ＲＡＲがＭｅＮＢから送信された場合、ＭｅＮＢはｅＮＢ間ＣＡに権限を有するので、特に、ＲＡＣＨに障害があれば、ＭｅＮＢはＲＡＣＨ状態を知る必要もあるだろう。そして、ＳｅＮＢまたはＵＥは、ＭｅＮＢに対してＲＡＣＨの障害を通知するべきである。
【０２８７】
提案６：  ＵＥがＳｅＮＢに対してＲＡＣＨプリアンブルを送信する場合、ＳｅＮＢはＲＡＲをＵＥに対して送信するべきである。
【０２８８】
提案７：  ＳｅＮＢまたはＵＥは、ＭｅＮＢに対してＲＡＣＨの障害を通知するべきである。
【０２８９】
［相互参照］
米国仮出願第６１／８０８７９４号（２０１３年４月５日出願）、米国仮出願第６１／８６４１８６号（２０１３年８月９日出願）、米国仮出願第６１／９３４２４１号（２０１４年１月３１日出願）の全内容が、参照により、本願明細書に組み込まれている。
【産業上の利用可能性】
【０２９０】
本発明は、移動通信分野において有用である。
【図１】
0005956065.tif 000002
【図２】
0005956065.tif 000003
【図３】
0005956065.tif 000004
【図４】
0005956065.tif 000005
【図５】
0005956065.tif 000006
【図６】
0005956065.tif 000007
【図７】
0005956065.tif 000008
【図８】
0005956065.tif 000009
【図９】
0005956065.tif 000010
【図１０】
0005956065.tif 000011
【図１１】
0005956065.tif 000012
【図１２】
0005956065.tif 000013
【図１３】
0005956065.tif 000014
【図１４】
0005956065.tif 000015
【図１５】
0005956065.tif 000016
【図１６】
0005956065.tif 000017
【図１７】
0005956065.tif 000018
【図１８】
0005956065.tif 000019
【図１９】
0005956065.tif 000020